(57)【要約】高周波受信装置（１０）は、デジタル放送信号の周波数より高い発振周波数を有する複数個の発振回路（２４ａ、２４ｂ、２４ｃ、２４ｄ）と、これらのうち２つの発振回路が選択されてそれぞれ出力する選択スイッチ回路（２５）と、選択スイッチ回路（２５）の出力信号をそれぞれ分周する第１、第２の分周回路部（２２ａ、２２ｂ）とを設け、デジタル放送信号のうちの２つのチャンネルを同時受信する場合には、ＰＬＬ制御部（３５）からの制御により、発振信号が選択され、第１、第２の分周回路部（２２ａ、２２ｂ）によりそれぞれ分周されるように構成したものである。【特許請求の範囲】
【請求項１】
デジタル放送信号を受信するための２個の高周波受信回路部からなる高周波受信装置であって、
前記２個の高周波受信回路部は、
デジタル放送信号が入力される第１、第２の入力端子と、
前記第１の入力端子からの信号が一方の入力に供給される第１の混合器と、
前記第２の入力端子からの信号が一方の入力に供給される第２の混合器と、
前記第１の混合器からの出力信号が供給される第１の出力端子と、
前記第２の混合器からの出力信号が供給される第２の出力端子と、
ＰＬＬ制御部と、
低電圧で駆動されるとともに前記ＰＬＬ制御部に接続されて制御され前記デジタル放送信号より高い周波数で発振する複数個の発振回路と、
前記複数個の発振回路の出力に接続されるとともに、第１、第２の端子を有し前記ＰＬＬ制御部に接続されて制御される第１の選択スイッチ回路と、
前記第１の端子と前記第１の混合器の他方の入力との間に接続された第１の分周回路部と、
前記第２の端子と前記第２の混合器の他方の入力との間に接続された第２の分周回路部とを有し、
前記ＰＬＬ制御部で前記第１の選択スイッチ回路を制御して前記第１、第２の端子のそれぞれと、前記複数個の発振回路のうちのいずれかの発振回路とを接続するとともに、前記第１、第２の分周回路部の分周比をそれぞれ可変する高周波受信装置。
【請求項２】
前記第１の混合器及び第２の混合器は、前記第１の混合器の一方の入力に供給される前記デジタル放送信号の周波数と前記第１の混合器の他方の入力に供給される周波数変換用の周波数が等しく、かつ前記第２の混合器の前記一方の入力に供給される前記デジタル放送信号の周波数と前記第２の混合器の他方の入力に供給される前記周波数変換用の周波数が等しいダイレクトコンバージョン方式の周波数変換器であって、
前記複数個の発振回路は、４個の発振回路で形成するとともに前記４個中の３個の発振回路でデジタル放送信号の周波数の４倍の周波数からなる周波数帯を３つに分割して発振させ、
残りの１個の発振回路の発振周波数は前記２番目の周波数帯を発振する発振回路の発振周波数を含むとともに、前記第１、第２の分周回路部はそれぞれ２分の１分周器２個と３分の１分周器１個とを含む請求項１に記載の高周波受信装置。
【請求項３】
前記第１の混合器及び第２の混合器は、前記第１の混合器の一方の入力に供給される前記デジタル放送信号の周波数と前記第１の混合器の他方の入力に供給される周波数変換用の周波数が前記デジタル放送信号の周波数より中間周波数だけ高いまたは低い周波数であり、かつ前記第２の混合器の前記一方の入力に供給される前記デジタル放送信号の周波数と前記第２の混合器の他方の入力に供給される前記周波数変換用の周波数が前記デジタル放送信号の周波数より前記中間周波数だけ高いまたは低い周波数であるダウンコンバージョン方式の周波数変換器であって、
前記複数個の発振回路は、４個の発振回路で形成するとともに前記４個中の３個の発振回路でデジタル放送信号の周波数の４倍の周波数からなる周波数帯を３つに分割して発振させ、
残りの１個の発振回路の発振周波数は前記２番目の周波数帯を発振する発振回路の発振周波数を含むとともに、前記第１、第２の分周回路部はそれぞれ２分の１分周器２個と３分の１分周器１個とを含む請求項１に記載の高周波受信装置。
【請求項４】
前記第１の分周回路部の分周比は４分の１とするとともに、前記第２の分周回路部の分周比は、３分の１、４分の１、６分の１のいずれかとしてＵＨＦ帯の全ｃｈを受信可能とした請求項２または請求項３のいずれか１項に記載の高周波受信装置。
【請求項５】
前記デジタル放送信号の周波数帯を３分割したうちの低い周波数帯を受け持つ発振回路の上限の発振周波数と、前記残りの１個の発振回路の下限の発振周波数と
は共通の発振周波数を有し、前記第１の分周回路部の分周比は４分の１とするとともに、前記第２の分周回路部の分周比は、３分の１、４分の１、６分の１、１２分の１のいずれかとしてＵＨＦ帯の全ｃｈ及びＶＨＦ帯の７ｃｈを受信可能とした請求項２または請求項３のいずれか１項に記載の高周波受信装置。
【請求項６】
前記第１の分周回路部及び前記第２の分周回路部と、
前記複数個の発振回路及び前記第１の選択スイッチ回路とを含む発振回路部とは、それぞれ独立に高周波シールドされた請求項１に記載の高周波受信装置。
【請求項７】
第１の分周回路部と第１の混合器はそれぞれ近接して配置され、かつ第２の分周回路部と第２の混合器はそれぞれ近接して配置された請求項１に記載の高周波受信装置。
【請求項８】
前記第１、第２の分周回路部のそれぞれの出力と前記第１、第２の混合器のそれぞれ他方の入力との間に前記ＰＬＬ制御部に接続された制御入力端子を有する第２の選択スイッチ回路をさらに設け、
前記ＰＬＬ制御部により、前記複数個の発振回路のうちいずれか１個の発振回路を動作させるとともに、前記第１の分周回路部または前記第２の分周回路部いずれか一方の分周比を４分の１とし、前記第１の選択スイッチ回路と前記第２の選択スイッチ回路により前記第１の分周回路部または前記第２の分周回路部のいずれか一方の出力信号を前記第１、第２の混合器のそれぞれ他方の入力に供給することにより、前記ＵＨＦ帯の全ｃｈのダイバシティ受信を可能とした請求項１に記載の高周波受信装置。
【請求項９】
前記第１、第２の分周回路部のそれぞれの出力と前記第１、第２の混合器のそれぞれ他方の入力との間に前記ＰＬＬ制御部に接続された制御入力端子を有する第２の選択スイッチ回路をさらに設け、
前記ＰＬＬ制御部により、前記複数個の発振回路のうちいずれか１個の発振回路を動作させるとともに、前記第１の分周回路部または前記第２の分周回路部いずれか一方の分周比を４分の１または１２分の１のいずれかとし、前記第１の選択スイッチ回路と前記第２の選択スイッチ回路により前記分周比を設定した前記第１の分周回路部または前記第２の分周回路部のいずれか一方の出力信号を前記第１、第２の混合器のそれぞれ他方の入力に供給することにより、前記ＵＨＦ帯の全ｃｈ及びＶＨＦ帯の７ｃｈのダイバシティ受信を可能とした請求項１に記載の高周波受信装置。
【請求項１０】
請求項１に記載の高周波受信装置に用いられる集積回路であって、少なくとも前記第１の混合器と、前記第２の混合器と、前記第１の分周回路部と、前記第２の分周回路部と、前記複数個の発振回路及び前記第１の選択スイッチ回路とを含む発振回路部と、ＰＬＬ制御部とが同一のパッケージに集積された集積回路。
【発明の詳細な説明】
【技術分野】
【０００１】  本発明は、デジタル放送信号を受信するための２個の高周波受信回路部からなる携帯受信用の高周波受信装置とこれに用いる集積回路に関する。
【背景技術】
【０００２】  特開平５−１９１３１２号公報には、従来の高周波受信装置について開示されている。図７に示すように、従来の高周波受信装置２０１は、それぞれ同一に構成された高周波受信回路部２０２ａ、２０２ｂとで構成されている。これら高周波受信回路部２０２ａ、２０２ｂは、アンテナ２０３ａ、２０３ｂからのデジタル放送信号がそれぞれ供給される入力端子２０４ａ、２０４ｂと、出力信号がそれぞれ供給される出力端子２０５ａ、２０５ｂと、ＰＬＬ制御信号がそれぞれ供給されるＰＬＬ制御端子２０６ａ、２０６ｂとを有するものであり、これら高周波受信回路部２０２ａ、２０２ｂは、同一筐体内に収納されている。【０００３】  また、高周波受信回路部２０２ａ、２０２ｂは、入力端子２０４ａ、２０４ｂからの信号が他方の入力にそれぞれ供給されるとともにその出力信号が出力端子２０５ａ、２０５ｂにそれぞれ供給される混合器２０７ａ、２０７ｂと、これら混合器２０７ａ、２０７ｂの他方の入力には選択スイッチ２０８ａ、２０８ｂを介してそれぞれ発振信号を供給する発振回路部２０９ａ、２０９ｂとから構成されている。【０００４】  このように構成された高周波受信装置２０１では、バッテリ駆動が通例であり、例えば３Ｖの低電圧で駆動される。従って、発振回路部２０９ａ、２０９ｂを構成する可変容量ダイオードに高い同調用電圧を供給することは、低消費電力化とノイズ発生の点から困難である。【０００５】  そのため、発振回路部２０９ａ、２０９ｂには、例えば発振器と同調回路の接続体をＵＨＦ（Ｕｌｔｒａ  Ｈｉｇｈ  Ｆｒｅｑｕｅｎｃｙ）帯の全チャンネル（以下、ｃｈと略記する）受信用として３個で分担するとともにＶＨＦ（Ｖｅｒｙ  Ｈｉｇｈ  Ｆｒｅｑｕｅｎｃｙ）帯の７ｃｈ受信専用として１個設けていた。【０００６】  しかしながら、このような従来の高周波受信装置２０１では、２つの高周波受信回路部２０２ａ、２０２ｂから構成されているので、これら２つの高周波受信回路部２０２ａ、２０２ｂに設けられたそれぞれの発振回路部２０９ａ、２０９ｂには、発振器と同調回路がそれぞれ４個必要となり、高周波受信装置２０１全体としては合計８個の発振器と同調回路とが必要となる。【０００７】  この同調回路は、コンデンサとインダクタの並列回路により形成されるが、このインダクタは、占有面積が大きくなる。その結果、小型化サイズの集積回路が困難であり、高周波受信装置の小型化の実現が困難であった。
【発明の開示】
【０００８】  本発明の高周波受信装置は、デジタル放送信号を受信するための２個の高周波受信回路部からなる高周波受信装置であって、２個の高周波受信回路部は、デジタル放送信号が入力される第１、第２の入力端子と、第１の入力端子からの信号が一方の入力に供給される第１の混合器と、第２の入力端子からの信号が一方の入力に供給される第２の混合器と、第１の混合器からの出力信号が供給される第１の出力端子と、第２の混合器からの出力信号が供給される第２の出力端子と、ＰＬＬ制御部と、低電圧で駆動されるとともにＰＬＬ制御部に接続されて制御されデジタル放送信号より高い周波数で発振する複数個の発振回路と、複数個の発振回路の出力に接続されるとともに、第１、第２の端子を有しＰＬＬ制御部に接続されて制御される第１の選択スイッチ回路と、第１の端子と第１の混合器の他方の入力との間に接続された第１の分周回路部と、第２の端子と第２の混合器の他方の入力との間に接続された第２の分周回路部とを有し、ＰＬＬ制御部で第１の選択スイッチ回路を制御して第１、第２の端子のそれぞれと、複数個の発振回路のうちのいずれかの発振回路とを接続するとともに、第１、第２の分周回路部の分周比をそれぞれ可変する構成としたものである。
【０００９】  このようにして、高周波受信装置は、大型化の要因となる発振回路を形成するインダクタを第１、第２の高周波受信回路部で共用化しているので、高周波受信装置を小型化することができる。
【００１０】  また、発振回路は、デジタル放送信号より高い周波数で発振させているので、さらにインダクタの小型化を図ることができ、その結果、更なる高周波受信装置の小型化を図ることができる。
【図面の簡単な説明】
【００１１】
【図１】図１は本発明の実施の形態１における高周波受信装置の構成を示すブロック図である。
【図２】図２は本発明の実施の形態１における高周波受信装置のＵＨＦ帯の全ｃｈのチャンネル配置と混合器の他方の入力に供給される信号の周波数との関係図である。
【図３】図３は本発明の実施の形態１における高周波受信装置の他の構成を示すブロック図である。
【図４】図４は本発明の実施の形態２における高周波受信装置の構成を示すブロック図である。
【図５】図５は本発明の実施の形態２における高周波受信装置のＵＨＦ帯の全ｃｈとＶＨＦ帯７ｃｈのチャンネル配置と混合器の他方の入力に供給される信号の周波数との関係図である。
【図６】図６は本発明の実施の形態２における高周波受信装置の他の構成を示すブロック図である。
【図７】図７は従来例における高周波受信装置の構成を示すブロック図である。
【符号の説明】
【００１２】  １２ａ，１２ｂ  入力端子
１３ａ，１３ｂ  出力端子
１６ａ，１６ｂ  混合器
２１，２９  発振回路部
２２ａ，２２ｂ  分周回路部
２４ａ，２４ｂ，２４ｃ，２４ｄ，２４ｅ  発振回路
２５，２８  選択スイッチ回路
３５  ＰＬＬ制御部
【発明を実施するための最良の形態】
【００１３】  以下、本発明の実施の形態について、図面を用いて説明する。【００１４】  （実施の形態１）
図１は、本発明の実施の形態１における高周波受信装置１０の構成を示すブロック図である。本実施の形態１では、ＵＨＦ帯のデジタル放送信号を受信し、ダイレクトコンバージョン方式の周波数変換器を用いた場合について説明している。第１の混合器としての混合器１６ａ及び第２の混合器としての混合器１６ｂは、ダイレクトコンバージョン方式周波数変換器である。従って、混合器１６ａの一方の入力に供給されるデジタル放送信号の周波数と混合器１６ａの他方の入力に供給される周波数変換用の周波数が等しく、かつ混合器１６ｂの一方の入力に供給されるデジタル放送信号の周波数と混合器１６ｂの他方の入力に供給される周波数変換用の周波数が等しくなるように設計されている。【００１５】  図１において、高周波受信装置１０は、高周波受信回路部２０ａと、高周波受信回路部２０ｂと、ＰＬＬ（Ｐｈａｓｅ  Ｌｏｃｋｅｄ  Ｌｏｏｐ）制御信号が供給されるＰＬＬ制御端子１４及びこれに接続されたＰＬＬ制御部３５と、高周波受信回路部２０ａと高周波受信回路部２０ｂにそれぞれ接続された第１の分周回路部としての分周回路部２２ａと第２の分周回路部としての分周回路部２２ｂと、これらの分周回路部２２ａ、２２ｂに接続された発振回路部２１とで構成されている。【００１６】  また、高周波受信回路部２０ａは、アンテナ１１ａからのデジタル放送信号が供給される第１の入力端子としての入力端子１２ａと、出力信号が供給される第１の出力端子としての出力端子１３ａとを備えている。また、第２の入力端子としての入力端子１２ａと出力端子１３ａとの間には、増幅器１５ａ、混合器１６ａ、バンドパスフィルタ１７ａ、増幅器１８ａがそれぞれこの順に接続されている。すなわち、混合器１６ａの一方の入力には、増幅器１５ａの出力が接続されている。【００１７】  また、高周波受信回路部２０ｂは、アンテナ１１ｂからのデジタル放送信号が供給される第２の入力端子としての入力端子１２ｂと、出力信号が供給される第２の出力端子としての出力端子１３ｂとを備えている。また、入力端子１２ｂと出力端子１３ｂとの間には、増幅器１５ｂ、混合器１６ｂ、バンドパスフィルタ１７ｂ、増幅器１８ｂがそれぞれこの順に接続されている。すなわち、混合器１６ｂの一方の入力には、増幅器１５ｂの出力が接続されている。【００１８】  そして、混合器１６ａの他方の入力には、発振回路部２１からの発振信号が分周回路部２２ａの出力２３ａを介して接続されている。また、混合器１６ｂの他方の入力には、発振回路部２１からの発振信号が分周回路部２２ｂの出力２３ｂを介して接続されている。【００１９】  発振回路部２１は、４個の発振回路としての発振回路２４ａ、２４ｂ、２４ｃ、２４ｄと、第１、第２の端子としての端子２１ａ、２１ｂを有する第１の選択スイッチ回路としての選択スイッチ回路２５から構成されている。そして、選択スイッチ回路２５は、ＰＬＬ制御部３５の制御により、端子２１ａ、２１ｂに、これら４個の発振回路２４ａ、２４ｂ、２４ｃ、２４ｄのうち２つを選択して出力する。また、これらの発振回路２４ａ、２４ｂ、２４ｃ、２４ｄのうち、発振回路２４ａは、発振器２６ａと同調回路２７ａの直列接続体で形成されている。以���同様に、発振回路２４ｂは、発振器２６ｂと同調回路２７ｂの直列接続体で形成されており、発振回路２４ｃは、発振器２６ｃと同調回路２７ｃの直列接続体で形成されている。また、発振回路２４ｄは、発振器２６ｄと同調回路２７ｄの直列接続体で形成されている。なお、同調回路を構成する可変容量ダイオードの同調用電圧による可変容量が大きい場合には、発振周波数の範囲が広くなるので、発振回路の数を減らすことが可能である。【００２０】  選択スイッチ回路２５の端子２１ａからの発振信号は、分周回路部２２ａの入力２３ｃに入力されている。この分周回路部２２ａの入力２３ｃと出力２３ａとの間には、分周器３０ａ、３０ｂ、３０ｃが入力２３ｃから出力２３ａへと順に直列に接続されている。これら分周器３０ａ、３０ｂ、３０ｃのうち２つは２分の１の分周比を有し、他の１つは３分の１の分周比を有するものである。本実施の形態１では、分周器３０ａを３分の１分周器とし、分周器３０ｂと分周器３０ｃは共に２分の１分周器としている。【００２１】  そして、それぞれの分周器３０ａ、３０ｂ、３０ｃに対して、電子スイッチ３１ａ、３１ｂ、３１ｃがそれぞれ並列に接続されている。【００２２】  また、選択スイッチ回路２５の端子２１ｂからの発振信号は、分周回路部２２ｂの入力２３ｄに入力されている。この分周回路部２２ｂの入力２３ｄと出力２３ｂとの間には、分周器３２ａ、３２ｂ、３２ｃが入力２３ｄから出力２３ｂへと順に直列に接続されている。これら分周器３２ａ、３２ｂ、３２ｃのうち２つは２分の１の分周比を有し、他の１つは３分の１の分周比を有するものである。そして、本実施の形態１では、分周器３２ａを３分の１分周器とし、分周器３２ｂと分周器３２ｃは共に２分の１分周器としている。【００２３】  そして、それぞれの分周器３２ａ、３２ｂ、３２ｃに対して、電子スイッチ３３ａ、３３ｂ、３３ｃがそれぞれ並列に接続されている。【００２４】  さらに、ＰＬＬ制御用データが入力されるＰＬＬ制御端子１４は、ＰＬＬ制御部３５に接続されている。このＰＬＬ制御部３５からの制御信号は、発振回路部２１の選択スイッチ回路２５と発振器２６ａ、２６ｂ、２６ｃ、２６ｄ、及び分周回路部２２ａ、２２ｂに入力されている。【００２５】  なお、混合器１６ａ、１６ｂと、分周回路部２２ａ、２２ｂと、発振回路部２１と、ＰＬＬ制御部３５とが同一のパッケージに集積化することにより、小型化サイズの集積回路が実現できる。すなわち、本発明の実施の形態１における高周波受信装置１０に用いられる集積回路は、少なくとも第１の混合器としての混合器１６ａと、第２の混合器としての混合器１６ｂと、第１の分周回路部として分周回路部２２ａと、第２の分周回路部としての分周回路部２２ｂと、複数個の発振回路としての発振回路２４ａ、２４ｂ、２４ｃ、２４ｄ及び第１の選択スイッチ回路としての選択スイッチ回路２５とを含む発振回路部２１と、ＰＬＬ制御部３５とが同一のパッケージに集積されている。【００２６】  以上のように構成された本実施の形態１における高周波受信装置１０の動作について、以下説明する。アンテナ１１ａ、１１ｂにより受信されたデジタル放送信号である例えば１３ｃｈから６２ｃｈの��ＨＦ帯のデジタル放送信号は、入力端子１２ａ、１２ｂにそれぞれ入力される。これら入力端子１２ａ、１２ｂからの信号は、利得制御の可能な増幅器１５ａ、１５ｂで増幅される。【００２７】  これら増幅器１５ａ、１５ｂからの出力信号は、混合器１６ａ、１６ｂの一方の入力にそれぞれ供給される。これら混合器１６ａ、１６ｂは、ダイレクトコンバージョンとしているので、混合器１６ａ、１６ｂのそれぞれ他方の入力には、一方の入力に供給された希望信号であるデジタル放送信号と同じ周波数の信号が、分周回路部２２ａ、２２ｂから供給される。【００２８】  さらに、これら混合器１６ａ、１６ｂの出力信号は、バンドパスフィルタ１７ａ、１７ｂにより妨害信号がそれぞれ抑圧される。このバンドパスフィルタ１７ａ、１７ｂからの出力信号は、増幅器１８ａ、１８ｂによりそれぞれ増幅され、出力端子１３ａ、１３ｂからそれぞれ出力される。【００２９】  次に、混合器１６ａ、１６ｂの他方の入力にそれぞれ供給される分周回路部２２ａ、２２ｂからの出力信号について、図２を用いて以下説明する。【００３０】  図２は、本発明の実施の形態１における高周波受信装置１０のＵＨＦ帯の全ｃｈのチャンネル配置（以下、ｃｈ配置と略記する）と混合器１６ａ、１６ｂの他方の入力に供給される信号の周波数との関係図である。図２において、上段はＵＨＦ帯のｃｈ配置１０１を表しており、横軸はｃｈ番号であり、右側になるほど大きな番号のｃｈとなる。それぞれのｃｈは、小さい番号順に１３ｃｈ、３０ｃｈ、５０ｃｈ、６１ｃｈ、６２ｃｈは１０１ａ、１０１ｂ、１０１ｃ、１０１ｄ、１０１ｅとそれぞれ表されている。【００３１】  ここで、高周波受信装置１０は、携帯受信用であるのでバッテリ駆動が常時使用されており、例えば３Ｖの低い電圧となる。つまり、発振回路部２１を構成する同調回路の可変容量ダイオードに対してＤＣ−ＤＣコンバータを用いない限り高い同調用電圧を供給することができない。【００３２】  このため、発振回路部２１は、１個の発振器で全ての周波数をカバーすることはできず、複数個の発振器が必要となる。本実施の形態１では、図１に示したように例えば３個の発振器２６ａ、２６ｂ、２６ｃとそれぞれに接続された３個の同調回路２７ａ、２７ｂ、２７ｃからなるそれぞれ発振回路２４ａ、２４ｂ、２４ｃが設けられている。【００３３】  図２において、中段は混合器１６ａの他方の入力に供給される信号の周波数１０２を表しており、横軸は周波数である。この周波数１０２は、周波数帯１０３、１０４、１０５に区分されて表されている。これらの周波数帯１０３、１０４、１０５の信号周波数は、発振回路２４ａ、２４ｂ、２４ｃからの発振周波数が一方の分周回路部２２ａによりそれぞれ分周されたものである。【００３４】  ここで、分周回路部２２ａの分周比は、ＰＬＬ制御部３５により分周比を２分の１とした分周器を２つ用いて４分の１とする。すなわち、発振回路２４ａ、２４ｂ、２４ｃのそれぞれの発振周波数２４１１、２４１２、２４１３は、ＵＨＦ帯の全ｃｈの信号周波数に対して４倍の高い周波数である１８９２ＭＨｚから３０６８ＭＨｚとしている。このように高い周波数の発振とすることにより、同調回路２７ａ���２７ｂ、２７ｃのインダクタを小さくできる。これは、後述する発振回路２４ｄの同調回路２７ｄについても同様である。【００３５】  混合器１６ａの他方の入力に供給される周波数１０２のうち、周波数帯１０３は、最低の周波数１０１ａ（１３ｃｈ）と最高の周波数１０１ｂ（３０ｃｈ）を有するものとする。この周波数帯１０３の受信に用いる発振回路２４ａの発振周波数２４１１は、最低の周波数１０１ａ（１３ｃｈ）である４７３ＭＨｚの４倍の１８９２ＭＨｚと最高の周波数１０１ｂ（３０ｃｈ）である５７５ＭＨｚの４倍の２３００ＭＨｚとすればよい。また、このとき分周回路部２２ａは、電子スイッチ３１ａのみオンにして、他の電子スイッチ３１ｂと３１ｃとはオフして、分周回路部２２ａ全体として４分の１の分周回路部としている。そこで、図２には、発振周波数２４１１をｆａとして、周波数帯１０３をｆａ×１／４と表している。【００３６】  同様に、周波数帯１０４は、最低の周波数１０１ｂ（３０ｃｈ）と最高の周波数１０１ｃ（５０ｃｈ）を有するものとする。すなわち、発振回路２４ｂの発振周波数２４１２は、最低の周波数１０１ｂ（３０ｃｈ）である５７５ＭＨｚの４倍とした２３００ＭＨｚから最高の周波数１０１ｃ（５０ｃｈ）である６９５ＭＨｚの４倍とした２７８０ＭＨｚとすればよい。また、このときの分周回路部２２ａは周波数帯１０３の受信と同様であって、分周回路部２２ａ全体として４分の１の分周回路部としている。そこで、図２には、発振周波数２４１２をｆｂとして、周波数帯１０４をｆｂ×１／４と表している。【００３７】  また、周波数帯１０５は、最低の周波数１０１ｃ（５０ｃｈ）と最高の周波数１０１ｅ（６２ｃｈ）を有するものとする。すなわち、発振回路２４ｃの発振周波数２４１３は、最低の周波数１０１ｃ（５０ｃｈ）である６９５ＭＨｚの４倍とした２７８０ＭＨｚと最高の周波数１０１ｅ（６２ｃｈ）である７６７ＭＨｚの４倍とした３０６８ＭＨｚとすればよい。また、このときの分周回路部２２ａは周波数帯１０３の受信と同様であって、分周回路部２２ａ全体として４分の１の分周回路部としている。そこで、図２には、発振周波数２４１３をｆｃとして、周波数帯１０５をｆｃ×１／４と表している。【００３８】  そして、これら発振回路２４ａ、２４ｂ、２４ｃのうちのいずれか一つが、ＰＬＬ制御部３５の制御信号により動作状態とされる。この動作状態とされた発振回路からの発振信号が、選択スイッチ回路２５により選択され、一方の分周回路部２２ａに入力される。この分周回路部２２ａの分周比は、ＰＬＬ制御部３５により４分の１に設定されている。従って、分周回路部２２ａの出力２３ａから出力される４７３ＭＨｚから７６７ＭＨｚの信号が混合器１６ａの他方の入力に供給される。【００３９】  このようにして、高周波受信回路部２０ａを用い、１３ｃｈから６２ｃｈのＵＨＦ帯の全ｃｈの放送信号から希望信号を選局できることになる。【００４０】  なお、発振回路２４ａの発振周波数２４１１の最高の周波数に対する最低の周波数の比は、実力として１．５以上あるが、発振周波数のマージンを見て１．２と設定している。これは、他の発振回路２４ｂ、２４ｃ、２４ｄについても同様である。���００４１】  次に、図１に示すように、さらに発振回路２４ｄを追加することによって、高周波受信回路部２０ａ、２０ｂの両方を用いて、ＵＨＦ帯の全ｃｈの放送信号のうち異なるｃｈをそれぞれ受信する場合の工夫について以下説明する。【００４２】  図２において、下段は混合器１６ｂの他方の入力に供給される信号の周波数１０７を表しており、横軸は周波数である。この周波数１０７は、周波数帯１０８、１０６、１０９、１１０に区分されて表されている。これらの周波数帯１０８、１０６、１０９、１１０は、発振回路２４ｃ、２４ｄ、２４ａ、２４ｂのそれぞれの発振周波数２４１３、２４１４、２４１１、２４１２が分周回路部２２ｂでそれぞれ分周されたものである。この分周回路部２２ｂの分周比は、発振回路２４ｃ、２４ｄ、２４ａ、２４ｂにそれぞれ対応して、６分の１、４分の１、３分の１、３分の１とする。【００４３】  混合器１６ｂの他方の入力に供給される周波数１０７のうち、周波数帯１０８は、最低の周波数１０１ａ（１３ｃｈ）から最高の周波数１０１ｂ（３０ｃｈ）を有するものとする。すなわち、発振回路２４ｃの発振周波数２４１３は、最低の周波数１０１ａ（１３ｃｈ）である４７３ＭＨｚの６倍とした２８３８ＭＨｚから最高の周波数１０１ｂ（３０ｃｈ）である５７５ＭＨｚの６倍とした３４５０ＭＨｚとすればよい。また、このとき分周回路部２２ｂは、電子スイッチ３３ｃのみオンにして、他の電子スイッチ３３ａと３３ｂとはオフして、分周回路部２２ｂ全体として６分の１の分周回路部としている。そこで、図２には、発振周波数２４１１をｆｃとして、周波数帯１０８をｆｃ×１／６と表している。【００４４】  同様に、周波数帯１０６は、最低の周波数１０１ｂ（３０ｃｈ）から最高の周波数１０１ｃ（５０ｃｈ）を有するものとする。すなわち、発振回路２４ｄの発振周波数２４１４は、最低の周波数１０１ｂ（３０ｃｈ）である５７５ＭＨｚの４倍とした２３００ＭＨｚから最高の周波数１０１ｃ（５０ｃｈ）である６９５ＭＨｚの４倍とした２７８０ＭＨｚとすればよい。この周波数帯１０６は、周波数帯１０４と同じである。すなわち、このとき分周回路部２２ｂは、電子スイッチ３３ａのみオンにして、他の電子スイッチ３３ｂと３３ｃとはオフして、分周回路部２２ｂ全体として４分の１の分周回路部としている。そこで、図２には、発振周波数２４１４をｆｄとして、周波数帯１０６をｆｄ×１／４と表している。【００４５】  また、周波数帯１０９は、最低の周波数１０１ｃから最高の周波数１０１ｄ（６１ｃｈ）を有するものとする。すなわち、発振回路２４ａの発振周波数２４１１は、最低の周波数１０１ｃ（５０ｃｈ）である６９５ＭＨｚの３倍とした２０８５ＭＨｚから最高の周波数１０１ｄ（６１ｃｈ）である７６１ＭＨｚの３倍とした２２８３ＭＨｚとすればよい。このとき分周回路部２２ｂは、電子スイッチ３３ａのみオフにして、他の電子スイッチ３３ｂと３３ｃとはオンして、分周回路部２２ｂ全体として３分の１の分周回路部としている。そこで、図２には、発振周波数２４１１をｆａとして、周波数帯１０９をｆａ×１／３と表している。【００４６】  また、周波数帯１１０は、最低の周波数１０１ｄ（６１ｃｈ）���ら最高の周波数１０１ｅ（６２ｃｈ）を有するものとする。すなわち、発振回路２４ｂの発振周波数２４１２は、最低の周波数１０１ｄ（６１ｃｈ）である７６１ＭＨｚの３倍とした２２８３ＭＨｚから最高の周波数１０１ｅ（６２ｃｈ）である７６７ＭＨｚの３倍とした２３０１ＭＨｚとすればよい。このときの、分周回路部２２ｂも同様に、電子スイッチ３３ａのみオフにして、他の電子スイッチ３３ｂと３３ｃとはオンして、分周回路部２２ｂ全体として３分の１の分周回路部としている。そこで、図２には、発振周波数２４１２をｆｂとして、周波数帯１１０をｆｂ×１／３と表している。【００４７】  具体的には、１３ｃｈから３０ｃｈ受信時には、周波数帯１０３と周波数帯１０８をそれぞれ発振させる発振回路２４ａ、２４ｃを動作させ、それぞれ４分の１、６分の１の分周比とした分周回路部２２ａ、２２ｂに入力する。これら分周回路部２２ａ、２２ｂからの出力信号を、混合器１６ａ、１６ｂの他方の入力にそれぞれ供給する。【００４８】  また、３０ｃｈから５０ｃｈ受信時には、周波数帯１０４と周波数帯１０６をそれぞれ発振させる発振回路２４ｂ、２４ｄを動作させ、共に４分の１の分周比とした分周回路部２２ａ、２２ｂに入力する。これら分周回路部２２ａ、２２ｂからの出力信号を、混合器１６ａ、１６ｂの他方の入力にそれぞれ供給する。【００４９】  また、５０ｃｈから６１ｃｈ受信時には、周波数帯１０５と周波数帯１０９をそれぞれ発振させる発振回路２４ｃ、２４ａを動作させ、それぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。【００５０】  また、６１ｃｈから６２ｃｈ受信時には、周波数帯１０５と周波数帯１１０をそれぞれ発振させる発振回路２４ｃ、２４ｄを動作させ、それぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。【００５１】  このような構成により、受信ｃｈに応じて４個の発振回路から異なる２つの発振回路が、ＰＬＬ制御部３５の制御信号により動作状態とされる。この動作状態とされた２つの発振回路からの発振信号が、選択スイッチ回路２５により選択され、分周回路部２２ａ、２２ｂにそれぞれ入力される。これら分周回路部２２ａ、２２ｂの分周比は、ＰＬＬ制御部３５により３分の１、４分の１、６分の１のいずれかに設定されて、必要な周波数を持った信号となる。この周波数を持った信号が、混合器１６ａ、１６ｂの他方の入力にそれぞれ供給される。【００５２】  従って、高周波受信回路部２０ａ、２０ｂにより、ＵＨＦ帯のデジタル放送信号を受信する時に、異なる２つのｃｈあるいは同じｃｈを受信できることになる。【００５３】  以上のように、発振回路部２１は、２つの高周波受信回路部２０ａ、２０ｂに対して、従来に比べて半分の個数とした発振回路２４ａ、２４ｂ、２４ｃ、２４ｄで構成できる。すなわち、これら発振回路２４ａ、２４ｂ、２４ｃ、２４ｄを形成する同調回路２７ａ、２７ｂ、２７ｃ、２７ｄのインダクタの個数を、従来に比べて半分の４個にできる。【００５４】  このインダクタは、従来から大きな占有面積を持っていたので、集積化した場合、この集積回路が大型化したが、このようにインダクタの個数を従来に比べて半分にできるので、小型サイズの集積回路を実現できる。さらに、小型サイズの集積回路を搭載することによって高周波受信装置１０を小型化サイズとすることができる。【００５５】  また、発振回路２４ａ、２４ｂ、２４ｃ、２４ｄは、デジタル放送信号の４倍とした高い周波数で発振させているので、さらにインダクタの小型化を図ることができる。その結果、更なる小型サイズの集積回路を実現でき、高周波受信装置１０を小型化することができる。【００５６】  なお、図３に示すように、ダイバシティ受信時においては、ＰＬＬ制御部３５からの制御信号により、４つの発振回路のうち１個を動作させて、この１個の発振回路からの発振信号を分周回路部２２ａ、２２ｂにそれぞれ入力したのち、この分周回路部２２ａ、２２ｂのそれぞれの出力を混合器１６ａ、１６ｂの他方の入力に供給してもよい。すなわち、この１個の発振回路が発振するとともに、選択スイッチ回路２５では、この１個の発振回路からの信号を共に分周回路部２２ａ、２２ｂへ供給することにより、ダイバシティ受信が可能となる。【００５７】  図３は、本発明の実施の形態１における高周波受信装置１０の他の構成を示すブロック図である。図３は、図１の構成に加えて、さらに、分周回路部２２ａ、２２ｂと混合器１６ａ、１６ｂとの間にさらに選択スイッチ回路２８を配置している。図３に示すように選択スイッチ回路２８には、混合器１６ａの他方の入力に接続された出力２８ａと、混合器１６ｂの他方の入力に接続された出力２８ｂと、分周回路部２２ａに接続された入力２８ｃと分周回路部２２ｂに接続された入力２８ｄと、ＰＬＬ制御部３５に接続された入力２８ｅが設けられている。このような構成により、高周波受信装置１０は、ＰＬＬ制御部３５により、複数個の発振回路としての発振回路２６ａ、２６ｂ、２６ｃ、２６ｄのうちいずれか１個の発振回路を動作させる。そして、分周回路部２２ａ、２２ｂのいずれか一方の分周比を４分の１とし、選択スイッチ回路２５と選択スイッチ回路２８により分周回路部２２ａまたは分周回路部２２ｂのいずれか一方の出力信号を混合器１６ａ、１６ｂのそれぞれ他方の入力に供給することにより、ＵＨＦ帯の全ｃｈのダイバシティ受信が可能になる。【００５８】  このようにして、発振回路２６ａ、２６ｂ、２６ｃ、２６ｄのうちいずれか１個の発振回路と、分周回路部２２ａ、２２ｂの何れか一方の分周器に電源を供給すれば良いので、省電力化を図ることができる。【００５９】  なお、本実施の形態１では、ダイレクトコンバージョン方式の周波数変換器を用いた場合について説明したが、ダウンコンバージョン方式の周波数変換器を用いた場合についても同様に本発明を適用できる。すなわち、第１及び第２の混合器としての混合器１６ａ、１６ｂは、ダウンコンバージョン方式周波数変換器である。従って、混合器１６ａの一方の入力に供給されるデジタル放送信号の周波数と混合器１６ａの他方の入力に供給される周波数変換用の周波数がデジタル放送信号の周波数より中間周波数だけ高いまたは低い周波数であり、かつ混合器１６ｂの一方の入力に供給されるデジタル放送信号の周波数と混合器１６ｂの他方の入力に供給される周波数変換用の周波数がデジタル放送信号の周波数より中間周波数だけ高いまたは低い周波数である。そして、複数個の発振回路としての発振回路２４ａ、２４ｂ、２４ｃ、２４ｄは、４個の発振回路で形成するとともに４個中の３個の発振回路でデジタル放送信号の周波数の４倍の周波数からなる周波数帯を３つに分割して発振させ、残りの１個の発振回路の発振周波数は２番目の周波数帯を発振する発振回路の発振周波数を含むとともに、第１、第２の分周回路部２２ａ、２２ｂはそれぞれ２分の１分周器２個と３分の１分周器１個とを含むように構成されてもよい。この場合には、デジタルあるいはアナログのいずれの放送方式にも適用できる。【００６０】  さらに、高周波受信回路部２０ａと２０ｂとが、異なるｃｈを受信する場合には、２つの発振回路部が動作することになる。この２つの発振回路部の発振周波数が近接していると互いにＣ／Ｎ（キャリア−対ノイズ）が劣化し、あるいは他方の混合器に流入して妨害となる場合がある。従って、これら４つの発振回路部は互いに高周波シールドする必要がある。【００６１】  また、これらの発振信号を分周する分周回路部２２ａ、２２ｂにおいても高調波信号が発生するので同様に高周波シールドする必要がある。従って、第１の分周回路部としての分周回路部２２ａ、及び第２の分周回路部としての分周回路部２２ｂと、複数個の発振回路としての発振回路２４ａ、２４ｂ、２４ｃ、２４ｄ及び第１の選択スイッチ回路としての選択スイッチ回路２５とを含む発振回路部２１とは、それぞれ独立に高周波シールドされるように構成する。【００６２】  このように分周回路部２２ａ、２２ｂの出力から発生した高調波信号が輻射し易いので、第１の分周回路部としての分周回路部２２ａと第１の混合器としての混合器１６ａはそれぞれ近接して配置され、かつ第２の分周回路部としての分周回路部２２ｂと第２の混合器としての混合器１６ｂはそれぞれ近接して配置することにより、このような高調波信号の輻射を低減することができる。【００６３】  （実施の形態２）
図４は、本実施の形態２における高周波受信装置１０ａの構成を示すブロック図である。図１に示した実施の形態１における高周波受信装置１０ではＵＨＦ帯の全ｃｈの受信のみとしているのに対して、実施の形態２ではＵＨＦ帯の全ｃｈの受信とＶＨＦ帯の７ｃｈ受信を可能としている点が異なる。なお、図４で使用した部品について、図１と同じものについては同一の番号を付して説明を簡略化する。【００６４】  図４において、発振回路部２９は、４個の発振回路２４ａ、２４ｂ、２４ｃ、２４ｅから構成されている。すなわち、実施の形態１の発振回路２４ｄを、実施の形態２では発振回路２４ｅとし、この発振回路２４ｅの最高と最底の周波数が異なっている。この発振回路２４ｅは、発振器２６ｅと同調回路２７ｅの接続体から構成されている。【００６５】  次に、混合器１６ａ、１６ｂの他方の入力にそれぞれ供給される分周回路部２２ａ、２２ｂからの出力信号について、図５を用いて以下説明する。【００６６】  図５は、本発明の実施の形態２における高周波受信装置のＵＨＦ帯の全ｃｈとＶＨＦ帯の７ｃｈのｃｈ配置と混合器の他方の入力に供給される信号の周波数との関係図である。なお、図５で使用した符号について、図２と同じものについては同符号を付して説明を簡略化する。【００６７】  図５において、上段はＶＨＦ帯の７ｃｈとＵＨＦ帯の全ｃｈのｃｈ配置１３１を表しており、横軸はｃｈ番号であり、右側になるほど大きな番号のｃｈとなる。それぞれのｃｈは、小さい番号順に、７ｃｈ、１３ｃｈ、２９ｃｈ、３０ｃｈ、４９ｃｈ、５０ｃｈ、６１ｃｈ、６２ｃｈが１５１、１０１ａ、１０１ｆ、１０１ｂ、１０１ｇ、１０１ｃ、１０１ｄ、１０１ｅとそれぞれ表されている。【００６８】  また、図５において、中段は混合器１６ａの他方の入力に供給される信号の周波数１３２を表し、横軸は周波数である。この周波数１３２は、周波数帯１５２、１０３、１０４、１０５から構成される。これらの周波数帯のうち１０３，１０４，１０５における周波数は、実施の形態１と同様に作成されることにより、ＵＨＦ帯の全ｃｈが受信できる。【００６９】  ＶＨＦ帯の７ｃｈである周波数帯１５２を受信するためには、１８９２ＭＨｚから２３００ＭＨｚの発振周波数を有するものとする発振回路２４ａを２２９２ＭＨｚの周波数で動作させる。この発振周波数を４分の１分周し、さらに３分の１分周することにより、一方の分周回路部２２ａから１９１ＭＨｚ（７ｃｈ）の信号が出力できる。この１９１ＭＨｚの信号は、混合器１６ａの他方の入力に供給される。従って、高周波受信回路部２０ａを用い、７ｃｈを希望信号として選局できることになる。【００７０】  次に、新たに発振回路２４ｅを追加することによって、高周波受信回路部２０ａ、２０ｂの両方を用いて、ＵＨＦ信号のうち異なるｃｈまたは同一のｃｈを受信する場合の工夫について以下説明する。【００７１】  なお、発振回路２４ｅの発振周波数２４１５の最高の周波数に対する最低の周波数の比は、実力として１．５以上あるが、発振周波数のマージンを見て１．２と設定している。【００７２】  図５において、下段は混合器１６ｂの他方の入力に供給される信号の周波数１４０を表し、横軸は周波数である。この周波数１４０は、周波数帯１５３、１２１、１２２、１２３、１１０から構成されている。これら周波数帯１２１、１２２、１２３、１１０は、発振回路２４ｃ、２４ｅ、２４ａ、２４ｂのそれぞれの発振周波数２４１３、２４１５、２４１１、２４１２が分周回路部２２ｂでそれぞれ分周されたものである。この分周回路部２２ｂの分周比は、発振回路２４ｃ、２４ｅ、２４ａ、２４ｂにそれぞれ対応して、６分の１、４分の１、３分の１、３分の１として用いる。【００７３】  これにより、周波数帯１２１は、最低の周波数１０１ａ（１３ｃｈ）から最高の周波数１０１ｆ（２９ｃｈ）を有するものとする。すなわち、発振回路２４ｃの発振周波数２４１３は、最低の周波数１０１ａ（１３ｃｈ）である４７３ＭＨｚの６倍とした２８３８ＭＨｚから最高の周波数１０１ｆ（２９ｃｈ）である５６９ＭＨｚの６倍とした３４１４ＭＨｚとすればよい。そこで、図５には、発振周波数２４１３をｆｃとして、周波数帯１２１をｆｃ×１／６と表している。【００７４】  また、周波数帯１２２は、最低の周波数１０１ｆ（２９ｃｈ）から最高の周波数１０１ｇ（４９ｃｈ）を有するものとする。すなわち、発振回路２４ｅの発振周波数２４１５は、最低の周波数１０１ｆ（２９ｃｈ）である５６９ＭＨｚの４倍とした２２７６ＭＨｚから最高の周波数１０１ｇ（４９ｃｈ）である６８９ＭＨｚの４倍とした２７５６ＭＨｚとすればよい。そこで、図５には、発振周波数２４１５をｆｅとして、周波数帯１２２をｆｅ×１／４と表している。【００７５】  さらに、周波数帯１２３は、最低の周波数１０１ｇ（４９ｃｈ）と最高の周波数１１０ｄ（６１ｃｈ）を有するものとする。すなわち、発振回路２４ａの発振周波数２４１１は、最低の周波数１０１ｇ（４９ｃｈ）である６８９ＭＨｚの３倍とした２０６７ＭＨｚから最高の周波数１１０ｄ（６１ｃｈ）である７６１ＭＨｚの３倍とした２２８３ＭＨｚとすればよい。そこで、図５には、発振周波数２４１１をｆａとして、周波数帯１２３をｆａ×１／４と表している。【００７６】  さらに、周波数帯１１０は、最低の周波数１０１ｄ（６１ｃｈ）と最高の周波数１０１ｅ（６２ｃｈ）を有するものとする。すなわち、発振回路２４ｂの発振周波数２４１２は、最低の周波数１０１ｄ（６１ｃｈ）である７６１ＭＨｚの３倍とした２２８３ＭＨｚから最高の周波数１０１ｅ（６２ｃｈ）である７６７ＭＨｚの３倍とした２３０１ＭＨｚとすればよい。そこで、図５には、発振周波数２４１２をｆｂとして、周波数帯１１０をｆｂ×１／４と表している。【００７７】  具体的には、１３ｃｈから２９ｃｈ受信時には、周波数帯１０３と周波数帯１２１に対応させた発振回路２４ａ、２４ｃを動作させる。さらに、これら発振回路２４ａ、２４ｃからの発振信号をそれぞれ４分の１、６分の１の分周比とした分周回路部２２ａ、２２ｂに入力する。これら分周回路部２２ａ、２２ｂからの出力信号を、混合器１６ａ、１６ｂの他方の入力にそれぞれ供給する。【００７８】  また、２９ｃｈから３０ｃｈ受信時には、周波数帯１０３と周波数帯１２２に対応させた発振回路２４ａ、２４ｅを動作させる。さらに、これら発振回路２４ａ、２４ｅからの発振信号をそれぞれ４分の���、４分の１の分周比とした分周回路部２２ａ、２２ｂに入力する。これら分周回路部２２ａ、２２ｂからの出力信号を、混合器１６ａ、１６ｂの他方の入力にそれぞれ供給する。【００７９】  さらに、３０ｃｈから４９ｃｈ受信時には、周波数帯１０４と周波数帯１２２に対応させた発振回路２４ｂ、２４ｅを動作させる。さらに、これら発振回路２４ｂ、２４ｅからの発振信号をそれぞれ４分の１の分周比とした分周回路部２２ａ、２２ｂに入力する。これら分周回路部２２ａ、２２ｂからの出力信号を、混合器１６ａ、１６ｂの他方の入力にそれぞれ供給する。【００８０】  さらに、４９ｃｈから５０ｃｈ受信時には、周波数帯１０４と周波数帯１２３に対応させた発振回路２４ｂ、２４ａを動作させる。さらに、これら発振回路２４ｂ、２４ａからの発振信号をそれぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。【００８１】  さらに、５０ｃｈから６１ｃｈ受信時には、周波数帯１０５と周波数帯１２３に対応させた発振回路２４ｃ、２４ａを動作させる。さらに、これら発振回路２４ｃ、２４ａからの発振信号をそれぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。【００８２】  さらにまた、６１ｃｈから６２ｃｈ受信時には、周波数帯１０５と周波数帯１１０に対応させた発振回路２４ｃ、２４ｂを動作させる。さらに、これら発振回路２４ｃ、２４ｂからの発振信号をそれぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。【００８３】  このような構成により、受信ｃｈに応じて４個の発振回路から異なる２つの発振回路が、ＰＬＬ制御部３５の制御信号により動作状態とされる。この動作状態とされた２つの発振回路からの発振信号が、選択スイッチ回路２５により選択され、分周回路部２２ａ、２２ｂにそれぞれ入力される。これら分周回路部２２ａ、２２ｂの分周比は、ＰＬＬ制御部３５により３分の１、４分の１、６分の１のいずれかに設定されて、必要な周波数を持った信号となる。この必要な周波数を持った信号が、混合器１６ａ、１６ｂの他方の入力にそれぞれ供給される。【００８４】  従って、高周波受信回路部２０ａ、２０ｂにより、ＵＨＦ受信時において、異なる２つのｃｈあるいは同じｃｈを受信できることになる。【００８５】  次に、高周波受信回路部２０ａ、２０ｂにより、ＶＨＦ７ｃｈを同時に受信する場合の工夫について、以下説明する。【００８６】  ７ｃｈを高周波受信回路部２０ａで受信する場合は、発振回路２４ａの発振周波数２４１１を１２分の１分周することにより７ｃｈを受信できる。すなわち、発振回路２４ａの発振周波数２４１１の２２９２ＭＨｚは、４分の１分周し、さらに３分の１分周すると、１９１ＭＨｚとできる。この発振周波数２４１１の２２９２ＭＨｚの４分の１分周した５７３ＭＨｚは、周波数１０３ａで表している。【００８７】  また、７ｃｈを高周波受信回路部２０ｂで受信する場合は、発振回路２４ｅの発振周波数２４１５を１２分の１分周することにより７ｃｈを受信できる。すなわち、発振回路２４ｅの発振周波数２４１５の２２９２ＭＨｚは、４分の１分周し、さらに３分の１分周すると、１９１ＭＨｚとできる。この発振周波数２４１５の２２９２ＭＨｚの４分の１分周した５７３ＭＨｚは、周波数１２２ａで表している。【００８８】  これにより、高周波受信回路部２０ａ、２０ｂに対応させて発振回路２４ａ、２４ｅをそれぞれ動作させることによって、７ｃｈを同時に受信することが可能となる。【００８９】  以上より、ＵＨＦ帯を利用するデジタル放送信号を３分割して低域の周波数帯１０３、中域の周波数帯１０４、高域の周波数帯１０５とし、それぞれの周波数帯に対応させて発振回路２４ａ、２４ｂ、２４ｃを設ける。そして、発振回路２４ａの発振周波数の４分の１分周した低域の周波数帯１０３とするとともに、この周波数帯１０３の中で高い周波数にある周波数１０３ａの３分の１分周した周波数が、ＶＨＦ７ｃｈの信号周波数１９１ＭＨｚ以上になるように設定する。つまり、発振回路２４ａの発振周波数は、１９１ＭＨｚの１２倍である２２９２ＭＨｚ以上となるようにしておくことが必要となる。【００９０】  それに加えて、発振回路２４ｅの発振周波数の４分の１分周した周波数帯１２２は、中域の周波数帯１０４より低い周波数とするとともに、周波数帯１２２の中で低い周波数にある周波数１２２ａの３分の１分周した周波数が、ＶＨＦ帯の７ｃｈの信号周波数１９１ＭＨｚ以下になるように設定する。つまり、発振回路２４ｅの発振周波数は、１９１ＭＨｚの１２倍である２２９２ＭＨｚ以下となるようにしておくことが必要となる。【００９１】  これにより、高周波受信回路部２０ａでは、発振回路２４ａと分周比１２分の１とした分周回路部２２ａによりＶＨＦ帯の７ｃｈの受信ができる。同時に、高周波受信回路部２０ｂでは、発振回路２４ｅと分周比１２分の１とした分周回路部２２ｂによりＶＨＦ帯の７ｃｈが受信できることになる。【００９２】  上記したように、本発明の実施の形態２における高周波受信装置１０ａは、デジタル放送信号の周波数帯を３分割したうちの低い周波数帯１０３を受け持つ発振器の上限の発振周波数と、残りの１個の発振器の下限の発振周波数とは共通の発振周波数を有している。そして、第１の分周回路部としての分周回路部２２ａの分周比は４分の１とするとともに、第２の分周回路部としての分周回路部２２ｂの分周比は、３分の１、４分の１、６分の１、１２分の１のいずれかとしてＵＨＦ帯の全ｃｈ及びＶＨＦ帯の７ｃｈを受信可能となる。【００９３】  なお、７ｃｈのうちの同じ１セグメントを受信する場合には、発振回路２４ａ、２４ｅのいずれか一方を動作させ、この一方の発振回路の発振信号を、選択スイッチ回路２５を介して１２分の１分周とした分周回路部２２ａ、２２ｂに入力する。そして、これら分周回路部２２ａ、２２ｂからの出力信号を混合器１６ａ、１６ｂの他方の入力に供給してもよい。【００９４】  さらに、７ｃｈのうちの同じ１セグメントを受信する場合には、分周回路部２２ａ、２２ｂと混合器��６ａ、１６ｂとの間にさらに第２の選択スイッチ回路を挿入し、ＰＬＬ制御部３５からの制御信号により、発振回路２４ａ、２４ｅのいずれか一方を動作させる。そして、この一方の発振回路部からの発振信号を一方の分周器を介して混合器１６ａ、１６ｂの他方の入力に供給してもよい。【００９５】  図６は、本発明の実施の形態２における高周波受信装置１０ａの他の構成を示すブロック図である。図６は、図３の構成に加えて、さらに、分周回路部２２ａ、２２ｂと混合器１６ａ、１６ｂとの間にさらに選択スイッチ回路２８を配置している。図６に示すように選択スイッチ回路２８には、混合器１６ａの他方の入力に接続された出力２８ａと、混合器１６ｂの他方の入力に接続された出力２８ｂと、分周回路部２２ａに接続された入力２８ｃと分周回路部２２ｂに接続された入力２８ｄと、ＰＬＬ制御部３５に接続された入力２８ｅが設けられている。このような構成により、高周波受信装置１０は、ＰＬＬ制御部３５により、複数個の発振回路としての発振回路２６ａ、２６ｂ、２６ｃ、２６ｄのうちいずれか１個の発振回路を動作させるとともに、分周回路部２２ａ、２２ｂのいずれか一方の分周比を４分の１または１２分の１のいずれかとする。そして、選択スイッチ回路２５との選択スイッチ回路２８により分周回路部２２ａまたは分周回路部２２ｂのいずれか一方の出力信号を混合器１６ａ、１６ｂのそれぞれ他方の入力に供給することにより、ＵＨＦ帯の全ｃｈ及びＶＨＦ帯の７ｃｈのダイバシティ受信が可能となる。【００９６】  このように、選択スイッチ回路２５により、動作させた一方の発振回路を選択し、この一方の発振回路からの信号を１２分の１分周とした一方の分周器に供給し、さらにこの一方の分周器からの出力信号を選択スイッチ回路２８により混合器１６ａ、１６ｂの他方の入力に選択的に供給することによりダイバシティ受信を可能にする。この場合、分周回路部２２ａ、２２ｂの何れか一方の分周器に電源を供給すれば良いので、省電力化を図ることができる。【００９７】  このように、２つの高周波受信回路部が同一セグメントを受信する場合においては、１個の発振回路部のみを動作させて発振信号を用いることが好ましい。これら発振回路２４ａ、２４ｅが同一の発振周波数を持つ場合には、両者においてうねりが発生してしまい、妨害が発生する場合がある。【００９８】  以上のように、発振回路部２９は、２つの高周波受信回路部２０ａ、２０ｂに対して、従来に比べて半分の個数とした発振回路２４ａ、２４ｂ、２４ｃ、２４ｅで構成できる。すなわち、これら発振回路２４ａ、２４ｂ、２４ｃ、２４ｅを形成する同調回路２７ａ、２７ｂ、２７ｃ、２７ｅのインダクタの個数を従来に比べて半分の４個にできる。【００９９】  このインダクタは、従来から大きな占有面積を持っていたので、集積回路化した場合、この集積回路が大型化したが、このようにインダクタの個数を従来に比べて半分にできるので、小型サイズの集積回路が実現できる。さらに、小型サイズの集積回路を搭載することによって高周波受信装置１０ａを小型化サイズとすることができる。【０１００】  また、発振回路２４ａ、２４ｂ、２４ｃ、２４ｅは、デジタル放送信号の４倍とした��い周波数で発振させているので、さらにインダクタの小型化を図ることができる。その結果、更なる小型サイズの集積回路を実現でき、高周波受信装置１０ａを小型化することができる。【０１０１】  以上のように、発振回路部を構成する発振回路は、半分の個数の同調回路により構成できる。従って、この発振回路部を集積化する場合には、小型の集積回路が実現できる。さらに、この集積回路を用いることによって、小型化サイズの高周波受信装置を実現することができる。【０１０２】  なお、実施の形態１で説明した基本的な考え方は、本実施の形態２においても同様である。また、実施の形態１，２においてはデジタル放送信号の周波数は日本のｃｈ配置に基づいて説明したが、他国のｃｈ配置においても同様な考え方を適用することにより、発振回路部を共用やインダクタの小型化などを図ることができる。
【産業上の利用可能性】
【０１０３】  本発明にかかる高周波受信装置は、２つの高周波受信回路部の発振回路部を共用できるので、小型が可能となり、高周波受信装置の小型化に有用である。
【図１】
2007018134.tif 000002
【図２】
2007018134.tif 000003
【図３】
2007018134.tif 000004
【図４】
2007018134.tif 000005
【図５】
2007018134.tif 000006
【図６】
2007018134.tif 000007
【図７】
2007018134.tif 000008
【手続補正書】
【提出日】平成18年12月29日(2006.12.29)
【手続補正１】
【補正対象書類名】特許請求の範囲
【補正対象項目名】全文
【補正方法】変更
【補正の内容】
【特許請求の範囲】
【請求項１】
デジタル放送信号を受信するための２個の高周波受信回路部からなる高周波受信装置であって、
前記２個の高周波受信回路部は、
デジタル放送信号が入力される第１、第２の入力端子と、
前記第１の入力端子からの信号が一方の入力に供給される第１の混合器と、
前記第２の入力端子からの信号が一方の入力に供給される第２の混合器と、
前記第１の混合器からの出力信号が供給される第１の出力端子と、
前記第２の混合器からの出力信号が供給される第２の出力端子と、
ＰＬＬ制御部と、
低電圧で駆動されるとともに前記ＰＬＬ制御部に接続されて制御され前記デジタル放送信号より高い周波数で発振する複数個の発振回路と、
前記複数個の発振回路の出力に接続されるとともに、第１、第２の端子を有し前記ＰＬＬ制御部に接続されて制御される第１の選択スイッチ回路と、
前記第１の端子と前記第１の混合器の他方の入力との間に接続された第１の分周回路部と、
前記第２の端子と前記第２の混合器の他方の入力との間に接続された第２の分周回路部とを有し、
前記ＰＬＬ制御部で前記第１の選択スイッチ回路を制御して前記第１、第２の端子のそれぞれと、前記複数個の発振回路のうちのいずれかの発振回路とを接続するとともに、前記第１、第２の分周回路部の分周比をそれぞれ可変する高周波受信装置。
【請求項２】
前記第１の混合器及び第２の混合器は、前記第１の混合器の一方の入力に供給される前記デジタル放送信号の周波数と前記第１の混合器の他方の入力に供給される周波数変換用の周波数が等しく、かつ前記第２の混合器の前記一方の入力に供給される前記デジタル放送信号の周波数と前記第２の混合器の他方の入力に供給される前記周波数変換用の周波数が等しいダイレクトコンバージョン方式の周波数変換器であって、
前記複数個の発振回路は、４個の発振回路で形成するとともに前記４個中の３個の発振回路でデジタル放送信号の周波数の４倍の周波数からなる周波数帯を３つに分割して発振させ、
残りの１個の発振回路の発振周波数は前記２番目の周波数帯を発振する発振回路の発振周波数を含むとともに、前記第１、第２の分周回路部はそれぞれ２分の１分周器２個と３分の１分周器１個とを含む請求項１に記載の高周波受信装置。
【請求項３】
前記第１の混合器及び第２の混合器は、前記第１の混合器の一方の入力に供給される前記デジタル放送信号の周波数と前記第１の混合器の他方の入力に供給される周波数変換用の周波数が前記デジタル放送信号の周波数より中間周波数だけ高いまたは低い周波数であり、かつ前記第２の混合器の前記一方の入力に供給される前記デジタル放送信号の周波数と前記第２の混合器の他方の入力に供給される前記周波数変換用の周波数が前記デジタル放送信号の周波数より前記中間周波数だけ高いまたは低い周波数であるダウンコンバージョン方式の周波数変換器であって、
前記複数個の発振回路は、４個の発振回路で形成するとともに前記４個中の３個の発振回路でデジタル放送信号の周波数の４倍の周波数からなる周波数帯を３つに分割して発振させ、
残りの１個の発振回路の発振周波数は前記２番目の周波数帯を発振する発振回路の発振周波数を含むとともに、前記第１、第２の分周回路部はそれぞれ２分の１分周器２個と３分の１分周器１個とを含む請求項１に記載の高周波受信装置。
【請求項４】
前記第１の分周回路部の分周比は４分の１とするとともに、前記第２の分周回路部の分周比は、３分の１、４分の１、６分の１のいずれかとしてＵＨＦ帯の全ｃｈを受信可能とした請求項２または請求項３のいずれか１項に記載の高周波受信装置。
【請求項５】
前記デジタル放送信号の周波数帯を３分割したうちの低い周波数帯を受け持つ発振回路の上限の発振周波数と、前記残りの１個の発振回路の下限の発振周波数とは共通の発振周波数を有し、前記第１の分周回路部の分周比は４分の１とするとともに、前記第２の分周回路部の分周比は、３分の１、４分の１、６分の１、１２分の１のいずれかとしてＵＨＦ帯の全ｃｈ及びＶＨＦ帯の７ｃｈを受信可能とした請求項２または請求項３のいずれか１項に記載の高周波受信装置。
【請求項６】
前記第１の分周回路部及び前記第２の分周回路部と、
前記複数個の発振回路及び前記第１の選択スイッチ回路とを含む発振回路部とは、
それぞれ独立に高周波シールドされた請求項１に記載の高周波受信装置。
【請求項７】
第１の分周回路部と第１の混合器はそれぞれ近接して配置され、かつ第２の分周回路部と第２の混合器はそれぞれ近接して配置された請求項１に記載の高周波受信装置。
【請求項８】
前記第１、第２の分周回路部のそれぞれの出力と前記第１、第２の混合器のそれぞれ他方の入力との間に前記ＰＬＬ制御部に接続された制御入力端子を有する第２の選択スイッチ回路をさらに設け、
前記ＰＬＬ制御部により、前記複数個の発振回路のうちいずれか１個の発振回路を動作させるとともに、前記第１の分周回路部または前記第２の分周回路部いずれか一方の分周比を４分の１とし、前記第１の選択スイッチ回路と前記第２の選択スイッチ回路により前記第１の分周回路部または前記第２の分周回路部のいずれか一方の出力信号を前記第１、第２の混合器のそれぞれ他方の入力に供給することにより、前記ＵＨＦ帯の全ｃｈのダイバシティ受信を可能とした請求項１に記載の高周波受信装置。
【請求項９】
前記第１、第２の分周回路部のそれぞれの出力と前記第１、第２の混合器のそれぞれ他方の入力との間に前記ＰＬＬ制御部に接続された制御入力端子を有する第２の選択スイッチ回路をさらに設け、
前記ＰＬＬ制御部により、前記複数個の発振回路のうちいずれか１個の発振回路を動作させるとともに、前記第１の分周回路部または前記第２の分周回路部いずれか一方の分周比を４分の１または１２分の１のいずれかとし、前記第１の選択スイッチ回路と前記第２の選択スイッチ回路により前記分周比を設定した前記第１の分周回路部または前記第２の分周回路部のいずれか一方の出力信号を前記第１、第２の混合器のそれぞれ他方の入力に供給することにより、前記ＵＨＦ帯の全ｃｈ及びＶＨＦ帯の７ｃｈのダイバシティ受信を可能とした請求項１に記載の高周波受信装置。
【請求項１０】
請求項１に記載の高周波受信装置に用いられる集積回路であって、少なくとも前記第１の混合器と、前記第２の混合器と、前記第１の分周回路部と、前記第２の分周回路部と、前記複数個の発振回路及び前記第１の選択スイッチ回路とを含む発振回路部と、ＰＬＬ制御部とが同一のパッケージに集積された集積回路。
【手続補正２】
【補正対象書類名】明細書
【補正対象項目名】全文
【補正方法】変更
【補正の内容】
【発明の詳細な説明】
【技術分野】
【０００１】
本発明は、デジタル放送信号を受信するための２個の高周波受信回路部からなる携帯受信用の高周波受信装置とこれに用いる集積回路に関する。
【背景技術】
【０００２】
特開平５−１９１３１２号公報には、従来の高周波受信装置について開示されている。図７に示すように、従来の高周波受信装置２０１は、それぞれ同一に構成された高周波受信回路部２０２ａ、２０２ｂとで構成されている。これら高周波受信回路部２０２ａ、２０２ｂは、アンテナ２０３ａ、２０３ｂからのデジタル放送信号がそれぞれ供給される入力端子２０４ａ、２０４ｂと、出力信号がそれぞれ供給される出力端子２０５ａ、２０５ｂと、ＰＬＬ制御信号がそれぞれ供給されるＰＬＬ制御端子２０６ａ、２０６ｂとを有するものであり、これら高周波受信回路部２０２ａ、２０２ｂは、同一筐体内に収納されている。
【０００３】
また、高周波受信回路部２０２ａ、２０２ｂは、入力端子２０４ａ、２０４ｂからの信号が他方の入力にそれぞれ供給されるとともにその出力信号が出力端子２０５ａ、２０５ｂにそれぞれ供給される混合器２０７ａ、２０７ｂと、これら混合器２０７ａ、２０７ｂの他方の入力には選択スイッチ２０８ａ、２０８ｂを介してそれぞれ発振信号を供給する発振回路部２０９ａ、２０９ｂとから構成されている。
【０００４】
このように構成された高周波受信装置２０１では、バッテリ駆動が通例であり、例えば３Ｖの低電圧で駆動される。従って、発振回路部２０９ａ、２０９ｂを構成する可変容量ダイオードに高い同調用電圧を供給することは、低消費電力化とノイズ発生の点から困難である。
【０００５】
そのため、発振回路部２０９ａ、２０９ｂには、例えば発振器と同調回路の接続体をＵＨＦ（Ｕｌｔｒａ  Ｈｉｇｈ  Ｆｒｅｑｕｅｎｃｙ）帯の全チャンネル（以下、ｃｈと略記する）受信用として３個で分担するとともにＶＨＦ（Ｖｅｒｙ  Ｈｉｇｈ  Ｆｒｅｑｕｅｎｃｙ）帯の７ｃｈ受信専用として１個設けていた。
【０００６】
しかしながら、このような従来の高周波受信装置２０１では、２つの高周波受信回路部２０２ａ、２０２ｂから構成されているので、これら２つの高周波受信回路部２０２ａ、２０２ｂに設けられたそれぞれの発振回路部２０９ａ、２０９ｂには、発振器と同調回路がそれぞれ４個必要となり、高周波受信装置２０１全体としては合計８個の発振器と同調回路とが必要となる。
【０００７】
この同調回路は、コンデンサとインダクタの並列回路により形成されるが、このインダクタは、占有面積が大きくなる。その結果、小型化サイズの集積回路が困難であり、高周波受信装置の小型化の実現が困難であった。
【発明の開示】
【０００８】
本発明の高周波受信装置は、デジタル放送信号を受信するための２個の高周波受信回路部からなる高周波受信装置であって、２個の高周波受信回路部は、デジタル放送信号が入力される第１、第２の入力端子と、第１の入力端子からの信号が一方の入力に供給される第１の混合器と、第２の入力端子からの信号が一方の入力に供給される第２の混合器と、第１の混合器からの出力信号が供給される第１の出力端子と、第２の混合器からの出力信号が供給される第２の出力端子と、ＰＬＬ制御部と、低電圧で駆動されるとともにＰＬＬ制御部に接続されて制御されデジタル放送信号より高い周波数で発振する複数個の発振回路と、複数個の発振回路の出力に接続されるとともに、第１、第２の端子を有しＰＬＬ制御部に接続されて制御される第１の選択スイッチ回路と、第１の端子と第１の混合器の他方の入力との間に接続された第１の分周回路部と、第２の端子と第２の混合器の他方の入力との間に接続された第２の分周回路部とを有し、ＰＬＬ制御部で第１の選択スイッチ回路を制御して第１、第２の端子のそれぞれと、複数個の発振回路のうちのいずれかの発振回路とを接続するとともに、第１、第２の分周回路部の分周比をそれぞれ可変する構成としたものである。
【０００９】
このようにして、高周波受信装置は、大型化の要因となる発振回路を形成するインダクタを第１、第２の高周波受信回路部で共用化しているので、高周波受信装置を小型化することができる。
【００１０】
また、発振回路は、デジタル放送信号より高い周波数で発振させているので、さらにインダクタの小型化を図ることができ、その結果、更なる高周波受信装置の小型化を図ることができる。
【発明を実施するための最良の形態】
【００１１】
以下、本発明の実施の形態について、図面を用いて説明する。
【００１２】
（実施の形態１）
図１は、本発明の実施の形態１における高周波受信装置１０の構成を示すブロック図である。本実施の形態１では、ＵＨＦ帯のデジタル放送信号を受信し、ダイレクトコンバージョン方式の周波数変換器を用いた場合について説明している。第１の混合器としての混合器１６ａ及び第２の混合器としての混合器１６ｂは、ダイレクトコンバージョン方式周波数変換器である。従って、混合器１６ａの一方の入力に供給されるデジタル放送信号の周波数と混合器１６ａの他方の入力に供給される周波数変換用の周波数が等しく、かつ混合器１６ｂの一方の入力に供給されるデジタル放送信号の周波数と混合器１６ｂの他方の入力に供給される周波数変換用の周波数が等しくなるように設計されている。
【００１３】
図１において、高周波受信装置１０は、高周波受信回路部２０ａと、高周波受信回路部２０ｂと、ＰＬＬ（Ｐｈａｓｅ  Ｌｏｃｋｅｄ  Ｌｏｏｐ）制御信号が供給されるＰＬＬ制御端子１４及びこれに接続されたＰＬＬ制御部３５と、高周波受信回路部２０ａと高周波受信回路部２０ｂにそれぞれ接続された第１の分周回路部としての分周回路部２２ａと第２の分周回路部としての分周回路部２２ｂと、これらの分周回路部２２ａ、２２ｂに接続された発振回路部２１とで構成されている。
【００１４】
また、高周波受信回路部２０ａは、アンテナ１１ａからのデジタル放送信号が供給される第１の入力端子としての入力端子１２ａと、出力信号が供給される第１の出力端子としての出力端子１３ａとを備えている。また、第２の入力端子としての入力端子１２ａと出力端子１３ａとの間には、増幅器１５ａ、混合器１６ａ、バンドパスフィルタ１７ａ、増幅器１８ａがそれぞれこの順に接続されている。すなわち、混合器１６ａの一方の入力には、増幅器１５ａの出力が接続されている。
【００１５】
また、高周波受信回路部２０ｂは、アンテナ１１ｂからのデジタル放送信号が供給される第２の入力端子としての入力端子１２ｂと、出力信号が供給される第２の出力端子としての出力端子１３ｂとを備えている。また、入力端子１２ｂと出力端子１３ｂとの間には、増幅器１５ｂ、混合器１６ｂ、バンドパスフィルタ１７ｂ、増幅器１８ｂがそれぞれこの順に接続されている。すなわち、混合器１６ｂの一方の入力には、増幅器１５ｂの出力が接続されている。
【００１６】
そして、混合器１６ａの他方の入力には、発振回路部２１からの発振信号が分周回路部２２ａの出力２３ａを介して接続されている。また、混合器１６ｂの他方の入力には、発振回路部２１からの発振信号が分周回路部２２ｂの出力２３ｂを介して接続されている。
【００１７】
発振回路部２１は、４個の発振回路としての発振回路２４ａ、２４ｂ、２４ｃ、２４ｄと、第１、第２の端子としての端子２１ａ、２１ｂを有する第１の選択スイッチ回路としての選択スイッチ回路２５から構成されている。そして、選択スイッチ回路２５は、ＰＬＬ制御部３５の制御により、端子２１ａ、２１ｂに、これら４個の発振回路２４ａ、２４ｂ、２４ｃ、２４ｄのうち２つを選択して出力する。また、これらの発振回路２４ａ、２４ｂ、２４ｃ、２４ｄのうち、発振回路２４ａは、発振器２６ａと同調回路２７ａの直列接続体で形成されている。以下同様に、発振回路２４ｂは、発振器２６ｂと同調回路２７ｂの直列接続体で形成されており、発振回路２４ｃは、発振器２６ｃと同調回路２７ｃの直列接続体で形成されている。また、発振回路２４ｄは、発振器２６ｄと同調回路２７ｄの直列接続体で形成されている。なお、同調回路を構成する可変容量ダイオードの同調用電圧による可変容量が大きい場合には、発振周波数の範囲が広くなるので、発振回路の数を減らすことが可能である。
【００１８】
選択スイッチ回路２５の端子２１ａからの発振信号は、分周回路部２２ａの入力２３ｃに入力されている。この分周回路部２２ａの入力２３ｃと出力２３ａとの間には、分周器３０ａ、３０ｂ、３０ｃが入力２３ｃから出力２３ａへと順に直列に接続されている。これら分周器３０ａ、３０ｂ、３０ｃのうち２つは２分の１の分周比を有し、他の１つは３分の１の分周比を有するものである。本実施の形態１では、分周器３０ａを３分の１分周器とし、分周器３０ｂと分周器３０ｃは共に２分の１分周器としている。
【００１９】
そして、それぞれの分周器３０ａ、３０ｂ、３０ｃに対して、電子スイッチ３１ａ、３１ｂ、３１ｃがそれぞれ並列に接続されている。
【００２０】
また、選択スイッチ回路２５の端子２１ｂからの発振信号は、分周回路部２２ｂの入力２３ｄに入力されている。この分周回路部２２ｂの入力２３ｄと出力２３ｂとの間には、分周器３２ａ、３２ｂ、３２ｃが入力２３ｄから出力２３ｂへと順に直列に接続されている。これら分周器３２ａ、３２ｂ、３２ｃのうち２つは２分の１の分周比を有し、他の１つは３分の１の分周比を有するものである。そして、本実施の形態１では、分周器３２ａを３分の１分周器とし、分周器３２ｂと分周器３２ｃは共に２分の１分周器としている。
【００２１】
そして、それぞれの分周器３２ａ、３２ｂ、３２ｃに対して、電子スイッチ３３ａ、３３ｂ、３３ｃがそれぞれ並列に接続されている。
【００２２】
さらに、ＰＬＬ制御用データが入力されるＰＬＬ制御端子１４は、ＰＬＬ制御部３５に接続されている。このＰＬＬ制御部３５からの制御信号は、発振回路部２１の選択スイッチ回路２５と発振器２６ａ、２６ｂ、２６ｃ、２６ｄ、及び分周回路部２２ａ、２２ｂに入力されている。
【００２３】
なお、混合器１６ａ、１６ｂと、分周回路部２２ａ、２２ｂと、発振回路部２１と、ＰＬＬ制御部３５とが同一のパッケージに集積化することにより、小型化サイズの集積回路が実現できる。すなわち、本発明の実施の形態１における高周波受信装置１０に用いられる集積回路は、少なくとも第１の混合器としての混合器１６ａと、第２の混合器としての混合器１６ｂと、第１の分周回路部として分周回路部２２ａと、第２の分周回路部としての分周回路部２２ｂと、複数個の発振回路としての発振回路２４ａ、２４ｂ、２４ｃ、２４ｄ及び第１の選択スイッチ回路としての選択スイッチ回路２５とを含む発振回路部２１と、ＰＬＬ制御部３５とが同一のパッケージに集積されている。
【００２４】
以上のように構成された本実施の形態１における高周波受信装置１０の動作について、以下説明する。アンテナ１１ａ、１１ｂにより受信されたデジタル放送信号である例えば１３ｃｈから６２ｃｈのＵＨＦ帯のデジタル放送信号は、入力端子１２ａ、１２ｂにそれぞれ入力される。これら入力端子１２ａ、１２ｂからの信号は、利得制御の可能な増幅器１５ａ、１５ｂで増幅される。
【００２５】
これら増幅器１５ａ、１５ｂからの出力信号は、混合器１６ａ、１６ｂの一方の入力にそれぞれ供給される。これら混合器１６ａ、１６ｂは、ダイレクトコンバージョンとしているので、混合器１６ａ、１６ｂのそれぞれ他方の入力には、一方の入力に供給された希望信号であるデジタル放送信号と同じ周波数の信号が、分周回路部２２ａ、２２ｂから供給される。
【００２６】
さらに、これら混合器１６ａ、１６ｂの出力信号は、バンドパスフィルタ１７ａ、１７ｂにより妨害信号がそれぞれ抑圧される。このバンドパスフィルタ１７ａ、１７ｂからの出力信号は、増幅器１８ａ、１８ｂによりそれぞれ増幅され、出力端子１３ａ、１３ｂからそれぞれ出力される。
【００２７】
次に、混合器１６ａ、１６ｂの他方の入力にそれぞれ供給される分周回路部２２ａ、２２ｂからの出力信号について、図２を用いて以下説明する。
【００２８】
図２は、本発明の実施の形態１における高周波受信装置１０のＵＨＦ帯の全ｃｈのチャンネル配置（以下、ｃｈ配置と略記する）と混合器１６ａ、１６ｂの他方の入力に供給される信号の周波数との関係図である。図２において、上段はＵＨＦ帯のｃｈ配置１０１を表しており、横軸はｃｈ番号であり、右側になるほど大きな番号のｃｈとなる。それぞれのｃｈは、小さい番号順に１３ｃｈ、３０ｃｈ、５０ｃｈ、６１ｃｈ、６２ｃｈは１０１ａ、１０１ｂ、１０１ｃ、１０１ｄ、１０１ｅとそれぞれ表されている。
【００２９】
ここで、高周波受信装置１０は、携帯受信用であるのでバッテリ駆動が常時使用されており、例えば３Ｖの低い電圧となる。つまり、発振回路部２１を構成する同調回路の可変容量ダイオードに対してＤＣ−ＤＣコンバータを用いない限り高い同調用電圧を供給することができない。
【００３０】
このため、発振回路部２１は、１個の発振器で全ての周波数をカバーすることはできず、複数個の発振器が必要となる。本実施の形態１では、図１に示したように例えば３個の発振器２６ａ、２６ｂ、２６ｃとそれぞれに接続された３個の同調回路２７ａ、２７ｂ、２７ｃからなるそれぞれ発振回路２４ａ、２４ｂ、２４ｃが設けられている。
【００３１】
図２において、中段は混合器１６ａの他方の入力に供給される信号の周波数１０２を表しており、横軸は周波数である。この周波数１０２は、周波数帯１０３、１０４、１０５に区分されて表されている。これらの周波数帯１０３、１０４、１０５の信号周波数は、発振回路２４ａ、２４ｂ、２４ｃからの発振周波数が一方の分周回路部２２ａによりそれぞれ分周されたものである。
【００３２】
ここで、分周回路部２２ａの分周比は、ＰＬＬ制御部３５により分周比を２分の１とした分周器を２つ用いて４分の１とする。すなわち、発振回路２４ａ、２４ｂ、２４ｃのそれぞれの発振周波数２４１１、２４１２、２４１３は、ＵＨＦ帯の全ｃｈの信号周波数に対して４倍の高い周波数である１８９２ＭＨｚから３０６８ＭＨｚとしている。このように高い周波数の発振とすることにより、同調回路２７ａ、２７ｂ、２７ｃのインダクタを小さくできる。これは、後述する発振回路２４ｄの同調回路２７ｄについても同様である。
【００３３】
混合器１６ａの他方の入力に供給される周波数１０２のうち、周波数帯１０３は、最低の周波数１０１ａ（１３ｃｈ）と最高の周波数１０１ｂ（３０ｃｈ）を有するものとする。この周波数帯１０３の受信に用いる発振回路２４ａの発振周波数２４１１は、最低の周波数１０１ａ（１３ｃｈ）である４７３ＭＨｚの４倍の１８９２ＭＨｚと最高の周波数１０１ｂ（３０ｃｈ）である５７５ＭＨｚの４倍の２３００ＭＨｚとすればよい。また、このとき分周回路部２２ａは、電子スイッチ３１ａのみオンにして、他の電子スイッチ３１ｂと３１ｃとはオフして、分周回路部２２ａ全体として４分の１の分周回路部としている。そこで、図２には、発振周波数２４１１をｆａとして、周波数帯１０３をｆａ×１／４と表している。
【００３４】
同様に、周波数帯１０４は、最低の周波数１０１ｂ（３０ｃｈ）と最高の周波数１０１ｃ（５０ｃｈ）を有するものとする。すなわち、発振回路２４ｂの発振周波数２４１２は、最低の周波数１０１ｂ（３０ｃｈ）である５７５ＭＨｚの４倍とした２３００ＭＨｚから最高の周波数１０１ｃ（５０ｃｈ）である６９５ＭＨｚの４倍とした２７８０ＭＨｚとすればよい。また、このときの分周回路部２２ａは周波数帯１０３の受信と同様であって、分周回路部２２ａ全体として４分の１の分周回路部としている。そこで、図２には、発振周波数２４１２をｆｂとして、周波数帯１０４をｆｂ×１／４と表している。
【００３５】
また、周波数帯１０５は、最低の周波数１０１ｃ（５０ｃｈ）と最高の周波数１０１ｅ（６２ｃｈ）を有するものとする。すなわち、発振回路２４ｃの発振周波数２４１３は、最低の周波数１０１ｃ（５０ｃｈ）である６９５ＭＨｚの４倍とした２７８０ＭＨｚと最高の周波数１０１ｅ（６２ｃｈ）である７６７ＭＨｚの４倍とした３０６８ＭＨｚとすればよい。また、このときの分周回路部２２ａは周波数帯１０３の受信と同様であって、分周回路部２２ａ全体として４分の１の分周回路部としている。そこで、図２には、発振周波数２４１３をｆｃとして、周波数帯１０５をｆｃ×１／４と表している。
【００３６】
そして、これら発振回路２４ａ、２４ｂ、２４ｃのうちのいずれか一つが、ＰＬＬ制御部３５の制御信号により動作状態とされる。この動作状態とされた発振回路からの発振信号が、選択スイッチ回路２５により選択され、一方の分周回路部２２ａに入力される。この分周回路部２２ａの分周比は、ＰＬＬ制御部３５により４分の１に設定されている。従って、分周回路部２２ａの出力２３ａから出力される４７３ＭＨｚから７６７ＭＨｚの信号が混合器１６ａの他方の入力に供給される。
【００３７】
このようにして、高周波受信回路部２０ａを用い、１３ｃｈから６２ｃｈのＵＨＦ帯の全ｃｈの放送信号から希望信号を選局できることになる。
【００３８】
なお、発振回路２４ａの発振周波数２４１１の最高の周波数に対する最低の周波数の比は、実力として１．５以上あるが、発振周波数のマージンを見て１．２と設定している。これは、他の発振回路２４ｂ、２４ｃ、２４ｄについても同様である。
【００３９】
次に、図１に示すように、さらに発振回路２４ｄを追加することによって、高周波受信回路部２０ａ、２０ｂの両方を用いて、ＵＨＦ帯の全ｃｈの放送信号のうち異なるｃｈをそれぞれ受信する場合の工夫について以下説明する。
【００４０】
図２において、下段は混合器１６ｂの他方の入力に供給される信号の周波数１０７を表しており、横軸は周波数である。この周波数１０７は、周波数帯１０８、１０６、１０９、１１０に区分されて表されている。これらの周波数帯１０８、１０６、１０９、１１０は、発振回路２４ｃ、２４ｄ、２４ａ、２４ｂのそれぞれの発振周波数２４１３、２４１４、２４１１、２４１２が分周回路部２２ｂでそれぞれ分周されたものである。この分周回路部２２ｂの分周比は、発振回路２４ｃ、２４ｄ、２４ａ、２４ｂにそれぞれ対応して、６分の１、４分の１、３分の１、３分の１とする。
【００４１】
混合器１６ｂの他方の入力に供給される周波数１０７のうち、周波数帯１０８は、最低の周波数１０１ａ（１３ｃｈ）から最高の周波数１０１ｂ（３０ｃｈ）を有するものとする。すなわち、発振回路２４ｃの発振周波数２４１３は、最低の周波数１０１ａ（１３ｃｈ）である４７３ＭＨｚの６倍とした２８３８ＭＨｚから最高の周波数１０１ｂ（３０ｃｈ）である５７５ＭＨｚの６倍とした３４５０ＭＨｚとすればよい。また、このとき分周回路部２２ｂは、電子スイッチ３３ｃのみオンにして、他の電子スイッチ３３ａと３３ｂとはオフして、分周回路部２２ｂ全体として６分の１の分周回路部としている。そこで、図２には、発振周波数２４１１をｆｃとして、周波数帯１０８をｆｃ×１／６と表している。
【００４２】
同様に、周波数帯１０６は、最低の周波数１０１ｂ（３０ｃｈ）から最高の周波数１０１ｃ（５０ｃｈ）を有するものとする。すなわち、発振回路２４ｄの発振周波数２４１４は、最低の周波数１０１ｂ（３０ｃｈ）である５７５ＭＨｚの４倍とした２３００ＭＨｚから最高の周波数１０１ｃ（５０ｃｈ）である６９５ＭＨｚの４倍とした２７８０ＭＨｚとすればよい。この周波数帯１０６は、周波数帯１０４と同じである。すなわち、このとき分周回路部２２ｂは、電子スイッチ３３ａのみオンにして、他の電子スイッチ３３ｂと３３ｃとはオフして、分周回路部２２ｂ全体として４分の１の分周回路部としている。そこで、図２には、発振周波数２４１４をｆｄとして、周波数帯１０６をｆｄ×１／４と表している。
【００４３】
また、周波数帯１０９は、最低の周波数１０１ｃから最高の周波数１０１ｄ（６１ｃｈ）を有するものとする。すなわち、発振回路２４ａの発振周波数２４１１は、最低の周波数１０１ｃ（５０ｃｈ）である６９５ＭＨｚの３倍とした２０８５ＭＨｚから最高の周波数１０１ｄ（６１ｃｈ）である７６１ＭＨｚの３倍とした２２８３ＭＨｚとすればよい。このとき分周回路部２２ｂは、電子スイッチ３３ａのみオフにして、他の電子スイッチ３３ｂと３３ｃとはオンして、分周回路部２２ｂ全体として３分の１の分周回路部としている。そこで、図２には、発振周波数２４１１をｆａとして、周波数帯１０９をｆａ×１／３と表している。
【００４４】
また、周波数帯１１０は、最低の周波数１０１ｄ（６１ｃｈ）から最高の周波数１０１ｅ（６２ｃｈ）を有するものとする。すなわち、発振回路２４ｂの発振周波数２４１２は、最低の周波数１０１ｄ（６１ｃｈ）である７６１ＭＨｚの３倍とした２２８３ＭＨｚから最高の周波数１０１ｅ（６２ｃｈ）である７６７ＭＨｚの３倍とした２３０１ＭＨｚとすればよい。このときの、分周回路部２２ｂも同様に、電子スイッチ３３ａのみオフにして、他の電子スイッチ３３ｂと３３ｃとはオンして、分周回路部２２ｂ全体として３分の１の分周回路部としている。そこで、図２には、発振周波数２４１２をｆｂとして、周波数帯１１０をｆｂ×１／３と表している。
【００４５】
具体的には、１３ｃｈから３０ｃｈ受信時には、周波数帯１０３と周波数帯１０８をそれぞれ発振させる発振回路２４ａ、２４ｃを動作させ、それぞれ４分の１、６分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００４６】
また、３０ｃｈから５０ｃｈ受信時には、周波数帯１０４と周波数帯１０６をそれぞれ発振させる発振回路２４ｂ、２４ｄを動作させ、共に４分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００４７】
また、５０ｃｈから６１ｃｈ受信時には、周波数帯１０５と周波数帯１０９をそれぞれ発振させる発振回路２４ｃ、２４ａを動作させ、それぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００４８】
また、６１ｃｈから６２ｃｈ受信時には、周波数帯１０５と周波数帯１１０をそれぞれ発振させる発振回路２４ｃ、２４ｄを動作させ、それぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００４９】
このような構成により、受信ｃｈに応じて４個の発振回路から異なる２つの発振回路が、ＰＬＬ制御部３５の制御信号により動作状態とされる。この動作状態とされた２つの発振回路からの発振信号が、選択スイッチ回路２５により選択され、分周回路部２２ａ、２２ｂにそれぞれ入力される。これら分周回路部２２ａ、２２ｂの分周比は、ＰＬＬ制御部３５により３分の１、４分の１、６分の１のいずれかに設定されて、必要な周波数を持った信号となる。この周波数を持った信号が、混合器１６ａ、１６ｂの他方の入力にそれぞれ供給される。
【００５０】
従って、高周波受信回路部２０ａ、２０ｂにより、ＵＨＦ帯のデジタル放送信号を受信する時に、異なる２つのｃｈあるいは同じｃｈを受信できることになる。
【００５１】
以上のように、発振回路部２１は、２つの高周波受信回路部２０ａ、２０ｂに対して、従来に比べて半分の個数とした発振回路２４ａ、２４ｂ、２４ｃ、２４ｄで構成できる。すなわち、これら発振回路２４ａ、２４ｂ、２４ｃ、２４ｄを形成する同調回路２７ａ、２７ｂ、２７ｃ、２７ｄのインダクタの個数を、従来に比べて半分の４個にできる。
【００５２】
このインダクタは、従来から大きな占有面積を持っていたので、集積化した場合、この集積回路が大型化したが、このようにインダクタの個数を従来に比べて半分にできるので、小型サイズの集積回路を実現できる。さらに、小型サイズの集積回路を搭載することによって高周波受信装置１０を小型化サイズとすることができる。
【００５３】
また、発振回路２４ａ、２４ｂ、２４ｃ、２４ｄは、デジタル放送信号の４倍とした高い周波数で発振させているので、さらにインダクタの小型化を図ることができる。その結果、更なる小型サイズの集積回路を実現でき、高周波受信装置１０を小型化することができる。
【００５４】
なお、図３に示すように、ダイバシティ受信時においては、ＰＬＬ制御部３５からの制御信号により、４つの発振回路のうち１個を動作させて、この１個の発振回路からの発振信号を分周回路部２２ａ、２２ｂにそれぞれ入力したのち、この分周回路部２２ａ、２２ｂのそれぞれの出力を混合器１６ａ、１６ｂの他方の入力に供給してもよい。すなわち、この１個の発振回路が発振するとともに、選択スイッチ回路２５では、この１個の発振回路からの信号を共に分周回路部２２ａ、２２ｂへ供給することにより、ダイバシティ受信が可能となる。
【００５５】
図３は、本発明の実施の形態１における高周波受信装置１０の他の構成を示すブロック図である。図３は、図１の構成に加えて、さらに、分周回路部２２ａ、２２ｂと混合器１６ａ、１６ｂとの間にさらに選択スイッチ回路２８を配置している。図３に示すように選択スイッチ回路２８には、混合器１６ａの他方の入力に接続された出力２８ａと、混合器１６ｂの他方の入力に接続された出力２８ｂと、分周回路部２２ａに接続された入力２８ｃと分周回路部２２ｂに接続された入力２８ｄと、ＰＬＬ制御部３５に接続された入力２８ｅが設けられている。このような構成により、高周波受信装置１０は、ＰＬＬ制御部３５により、複数個の発振回路としての発振回路２６ａ、２６ｂ、２６ｃ、２６ｄのうちいずれか１個の発振回路を動作させる。そして、分周回路部２２ａ、２２ｂのいずれか一方の分周比を４分の１とし、選択スイッチ回路２５と選択スイッチ回路２８により分周回路部２２ａまたは分周回路部２２ｂのいずれか一方の出力信号を混合器１６ａ、１６ｂのそれぞれ他方の入力に供給することにより、ＵＨＦ帯の全ｃｈのダイバシティ受信が可能になる。
【００５６】
このようにして、発振回路２６ａ、２６ｂ、２６ｃ、２６ｄのうちいずれか１個の発振回路と、分周回路部２２ａ、２２ｂの何れか一方の分周器に電源を供給すれば良いので、省電力化を図ることができる。
【００５７】
なお、本実施の形態１では、ダイレクトコンバージョン方式の周波数変換器を用いた場合について説明したが、ダウンコンバージョン方式の周波数変換器を用いた場合についても同様に本発明を適用できる。すなわち、第１及び第２の混合器としての混合器１６ａ、１６ｂは、ダウンコンバージョン方式周波数変換器である。従って、混合器１６ａの一方の入力に供給されるデジタル放送信号の周波数と混合器１６ａの他方の入力に供給される周波数変換用の周波数がデジタル放送信号の周波数より中間周波数だけ高いまたは低い周波数であり、かつ混合器１６ｂの一方の入力に供給されるデジタル放送信号の周波数と混合器１６ｂの他方の入力に供給される周波数変換用の周波数がデジタル放送信号の周波数より中間周波数だけ高いまたは低い周波数である。そして、複数個の発振回路としての発振回路２４ａ、２４ｂ、２４ｃ、２４ｄは、４個の発振回路で形成するとともに４個中の３個の発振回路でデジタル放送信号の周波数の４倍の周波数からなる周波数帯を３つに分割して発振させ、残りの１個の発振回路の発振周波数は２番目の周波数帯を発振する発振回路の発振周波数を含むとともに、第１、第２の分周回路部２２ａ、２２ｂはそれぞれ２分の１分周器２個と３分の１分周器１個とを含むように構成されてもよい。この場合には、デジタルあるいはアナログのいずれの放送方式にも適用できる。
【００５８】
さらに、高周波受信回路部２０ａと２０ｂとが、異なるｃｈを受信する場合には、２つの発振回路部が動作することになる。この２つの発振回路部の発振周波数が近接していると互いにＣ／Ｎ（キャリア−対ノイズ）が劣化し、あるいは他方の混合器に流入して妨害となる場合がある。従って、これら４つの発振回路部は互いに高周波シールドする必要がある。
【００５９】
また、これらの発振信号を分周する分周回路部２２ａ、２２ｂにおいても高調波信号が発生するので同様に高周波シールドする必要がある。従って、第１の分周回路部としての分周回路部２２ａ、及び第２の分周回路部としての分周回路部２２ｂと、複数個の発振回路としての発振回路２４ａ、２４ｂ、２４ｃ、２４ｄ及び第１の選択スイッチ回路としての選択スイッチ回路２５とを含む発振回路部２１とは、それぞれ独立に高周波シールドされるように構成する。
【００６０】
このように分周回路部２２ａ、２２ｂの出力から発生した高調波信号が輻射し易いので、第１の分周回路部としての分周回路部２２ａと第１の混合器としての混合器１６ａはそれぞれ近接して配置され、かつ第２の分周回路部としての分周回路部２２ｂと第２の混合器としての混合器１６ｂはそれぞれ近接して配置することにより、このような高調波信号の輻射を低減することができる。
【００６１】
（実施の形態２）
図４は、本実施の形態２における高周波受信装置１０ａの構成を示すブロック図である。図１に示した実施の形態１における高周波受信装置１０ではＵＨＦ帯の全ｃｈの受信のみとしているのに対して、実施の形態２ではＵＨＦ帯の全ｃｈの受信とＶＨＦ帯の７ｃｈ受信を可能としている点が異なる。なお、図４で使用した部品について、図１と同じものについては同一の番号を付して説明を簡略化する。
【００６２】
図４において、発振回路部２９は、４個の発振回路２４ａ、２４ｂ、２４ｃ、２４ｅから構成されている。すなわち、実施の形態１の発振回路２４ｄを、実施の形態２では発振回路２４ｅとし、この発振回路２４ｅの最高と最低の周波数が異なっている。この発振回路２４ｅは、発振器２６ｅと同調回路２７ｅの接続体から構成されている。
【００６３】
次に、混合器１６ａ、１６ｂの他方の入力にそれぞれ供給される分周回路部２２ａ、２２ｂからの出力信号について、図５を用いて以下説明する。
【００６４】
図５は、本発明の実施の形態２における高周波受信装置のＵＨＦ帯の全ｃｈとＶＨＦ帯の７ｃｈのｃｈ配置と混合器の他方の入力に供給される信号の周波数との関係図である。なお、図５で使用した符号について、図２と同じものについては同符号を付して説明を簡略化する。
【００６５】
図５において、上段はＶＨＦ帯の７ｃｈとＵＨＦ帯の全ｃｈのｃｈ配置１３１を表しており、横軸はｃｈ番号であり、右側になるほど大きな番号のｃｈとなる。それぞれのｃｈは、小さい番号順に、７ｃｈ、１３ｃｈ、２９ｃｈ、３０ｃｈ、４９ｃｈ、５０ｃｈ、６１ｃｈ、６２ｃｈが１５１、１０１ａ、１０１ｆ、１０１ｂ、１０１ｇ、１０１ｃ、１０１ｄ、１０１ｅとそれぞれ表されている。
【００６６】
また、図５において、中段は混合器１６ａの他方の入力に供給される信号の周波数１３２を表し、横軸は周波数である。この周波数１３２は、周波数帯１５２、１０３、１０４、１０５から構成される。これらの周波数帯のうち１０３，１０４，１０５における周波数は、実施の形態１と同様に作成されることにより、ＵＨＦ帯の全ｃｈが受信できる。
【００６７】
ＶＨＦ帯の７ｃｈである周波数帯１５２を受信するためには、１８９２ＭＨｚから２３００ＭＨｚの発振周波数を有するものとする発振回路２４ａを２２９２ＭＨｚの周波数で動作させる。この発振周波数を４分の１分周し、さらに３分の１分周することにより、一方の分周回路部２２ａから１９１ＭＨｚ（７ｃｈ）の信号が出力できる。この１９１ＭＨｚの信号は、混合器１６ａの他方の入力に供給される。従って、高周波受信回路部２０ａを用い、７ｃｈを希望信号として選局できることになる。
【００６８】
次に、新たに発振回路２４ｅを追加することによって、高周波受信回路部２０ａ、２０ｂの両方を用いて、ＵＨＦ信号のうち異なるｃｈまたは同一のｃｈを受信する場合の工夫について以下説明する。
【００６９】
なお、発振回路２４ｅの発振周波数２４１５の最高の周波数に対する最低の周波数の比は、実力として１．５以上あるが、発振周波数のマージンを見て１．２と設定している。
【００７０】
図５において、下段は混合器１６ｂの他方の入力に供給される信号の周波数１４０を表し、横軸は周波数である。この周波数１４０は、周波数帯１５３、１２１、１２２、１２３、１１０から構成されている。これら周波数帯１２１、１２２、１２３、１１０は、発振回路２４ｃ、２４ｅ、２４ａ、２４ｂのそれぞれの発振周波数２４１３、２４１５、２４１１、２４１２が分周回路部２２ｂでそれぞれ分周されたものである。この分周回路部２２ｂの分周比は、発振回路２４ｃ、２４ｅ、２４ａ、２４ｂにそれぞれ対応して、６分の１、４分の１、３分の１、３分の１として用いる。
【００７１】
これにより、周波数帯１２１は、最低の周波数１０１ａ（１３ｃｈ）から最高の周波数１０１ｆ（２９ｃｈ）を有するものとする。すなわち、発振回路２４ｃの発振周波数２４１３は、最低の周波数１０１ａ（１３ｃｈ）である４７３ＭＨｚの６倍とした２８３８ＭＨｚから最高の周波数１０１ｆ（２９ｃｈ）である５６９ＭＨｚの６倍とした３４１４ＭＨｚとすればよい。そこで、図５には、発振周波数２４１３をｆｃとして、周波数帯１２１をｆｃ×１／６と表している。
【００７２】
また、周波数帯１２２は、最低の周波数１０１ｆ（２９ｃｈ）から最高の周波数１０１ｇ（４９ｃｈ）を有するものとする。すなわち、発振回路２４ｅの発振周波数２４１５は、最低の周波数１０１ｆ（２９ｃｈ）である５６９ＭＨｚの４倍とした２２７６ＭＨｚから最高の周波数１０１ｇ（４９ｃｈ）である６８９ＭＨｚの４倍とした２７５６ＭＨｚとすればよい。そこで、図５には、発振周波数２４１５をｆｅとして、周波数帯１２２をｆｅ×１／４と表している。
【００７３】
さらに、周波数帯１２３は、最低の周波数１０１ｇ（４９ｃｈ）と最高の周波数１１０ｄ（６１ｃｈ）を有するものとする。すなわち、発振回路２４ａの発振周波数２４１１は、最低の周波数１０１ｇ（４９ｃｈ）である６８９ＭＨｚの３倍とした２０６７ＭＨｚから最高の周波数１１０ｄ（６１ｃｈ）である７６１ＭＨｚの３倍とした２２８３ＭＨｚとすればよい。そこで、図５には、発振周波数２４１１をｆａとして、周波数帯１２３をｆａ×１／４と表している。
【００７４】
さらに、周波数帯１１０は、最低の周波数１０１ｄ（６１ｃｈ）と最高の周波数１０１ｅ（６２ｃｈ）を有するものとする。すなわち、発振回路２４ｂの発振周波数２４１２は、最低の周波数１０１ｄ（６１ｃｈ）である７６１ＭＨｚの３倍とした２２８３ＭＨｚから最高の周波数１０１ｅ（６２ｃｈ）である７６７ＭＨｚの３倍とした２３０１ＭＨｚとすればよい。そこで、図５には、発振周波数２４１２をｆｂとして、周波数帯１１０をｆｂ×１／４と表している。
【００７５】
具体的には、１３ｃｈから２９ｃｈ受信時には、周波数帯１０３と周波数帯１２１に対応させた発振回路２４ａ、２４ｃを動作させる。さらに、これら発振回路２４ａ、２４ｃからの発振信号をそれぞれ４分の１、６分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００７６】
また、２９ｃｈから３０ｃｈ受信時には、周波数帯１０３と周波数帯１２２に対応させた発振回路２４ａ、２４ｅを動作させる。さらに、これら発振回路２４ａ、２４ｅからの発振信号をそれぞれ４分の１、４分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００７７】
さらに、３０ｃｈから４９ｃｈ受信時には、周波数帯１０４と周波数帯１２２に対応させた発振回路２４ｂ、２４ｅを動作させる。さらに、これら発振回路２４ｂ、２４ｅからの発振信号をそれぞれ４分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００７８】
さらに、４９ｃｈから５０ｃｈ受信時には、周波数帯１０４と周波数帯１２３に対応させた発振回路２４ｂ、２４ａを動作させる。さらに、これら発振回路２４ｂ、２４ａからの発振信号をそれぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００７９】
さらに、５０ｃｈから６１ｃｈ受信時には、周波数帯１０５と周波数帯１２３に対応させた発振回路２４ｃ、２４ａを動作させる。さらに、これら発振回路２４ｃ、２４ａからの発振信号をそれぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００８０】
さらにまた、６１ｃｈから６２ｃｈ受信時には、周波数帯１０５と周波数帯１１０に対応させた発振回路２４ｃ、２４ｂを動作させる。さらに、これら発振回路２４ｃ、２４ｂからの発振信号をそれぞれ４分の１、３分の１の分周比とした分周回路部２２ａ、２２ｂに入力する。これら分周回路部２２ａ、２２ｂからの出力信号を、混合器１６ａ、１６ｂの他方の入力にそれぞれ供給する。
【００８１】
このような構成により、受信ｃｈに応じて４個の発振回路から異なる２つの発振回路が、ＰＬＬ制御部３５の制御信号により動作状態とされる。この動作状態とされた２つの発振回路からの発振信号が、選択スイッチ回路２５により選択され、分周回路部２２ａ、２２ｂにそれぞれ入力される。これら分周回路部２２ａ、２２ｂの分周比は、ＰＬＬ制御部３５により３分の１、４分の１、６分の１のいずれかに設定されて、必要な周波数を持った信号となる。この必要な周波数を持った信号が、混合器１６ａ、１６ｂの他方の入力にそれぞれ供給される。
【００８２】
従って、高周波受信回路部２０ａ、２０ｂにより、ＵＨＦ受信時において、異なる２つのｃｈあるいは同じｃｈを受信できることになる。
【００８３】
次に、高周波受信回路部２０ａ、２０ｂにより、ＶＨＦ７ｃｈを同時に受信する場合の工夫について、以下説明する。
【００８４】
７ｃｈを高周波受信回路部２０ａで受信する場合は、発振回路２４ａの発振周波数２４１１を１２分の１分周することにより７ｃｈを受信できる。すなわち、発振回路２４ａの発振周波数２４１１の２２９２ＭＨｚは、４分の１分周し、さらに３分の１分周すると、１９１ＭＨｚとできる。この発振周波数２４１１の２２９２ＭＨｚの４分の１分周した５７３ＭＨｚは、周波数１０３ａで表している。
【００８５】
また、７ｃｈを高周波受信回路部２０ｂで受信する場合は、発振回路２４ｅの発振周波数２４１５を１２分の１分周することにより７ｃｈを受信できる。すなわち、発振回路２４ｅの発振周波数２４１５の２２９２ＭＨｚは、４分の１分周し、さらに３分の１分周すると、１９１ＭＨｚとできる。この発振周波数２４１５の２２９２ＭＨｚの４分の１分周した５７３ＭＨｚは、周波数１２２ａで表している。
【００８６】
これにより、高周波受信回路部２０ａ、２０ｂに対応させて発振回路２４ａ、２４ｅをそれぞれ動作させることによって、７ｃｈを同時に受信することが可能となる。
【００８７】
以上より、ＵＨＦ帯を利用するデジタル放送信号を３分割して低域の周波数帯１０３、中域の周波数帯１０４、高域の周波数帯１０５とし、それぞれの周波数帯に対応させて発振回路２４ａ、２４ｂ、２４ｃを設ける。そして、発振回路２４ａの発振周波数の４分の１分周した低域の周波数帯１０３とするとともに、この周波数帯１０３の中で高い周波数にある周波数１０３ａの３分の１分周した周波数が、ＶＨＦ７ｃｈの信号周波数１９１ＭＨｚ以上になるように設定する。つまり、発振回路２４ａの発振周波数は、１９１ＭＨｚの１２倍である２２９２ＭＨｚ以上となるようにしておくことが必要となる。
【００８８】
それに加えて、発振回路２４ｅの発振周波数の４分の１分周した周波数帯１２２は、中域の周波数帯１０４より低い周波数とするとともに、周波数帯１２２の中で低い周波数にある周波数１２２ａの３分の１分周した周波数が、ＶＨＦ帯の７ｃｈの信号周波数１９１ＭＨｚ以下になるように設定する。つまり、発振回路２４ｅの発振周波数は、１９１ＭＨｚの１２倍である２２９２ＭＨｚ以下となるようにしておくことが必要となる。
【００８９】
これにより、高周波受信回路部２０ａでは、発振回路２４ａと分周比１２分の１とした分周回路部２２ａによりＶＨＦ帯の７ｃｈの受信ができる。同時に、高周波受信回路部２０ｂでは、発振回路２４ｅと分周比１２分の１とした分周回路部２２ｂによりＶＨＦ帯の７ｃｈが受信できることになる。
【００９０】
上記したように、本発明の実施の形態２における高周波受信装置１０ａは、デジタル放送信号の周波数帯を３分割したうちの低い周波数帯１０３を受け持つ発振器の上限の発振周波数と、残りの１個の発振器の下限の発振周波数とは共通の発振周波数を有している。そして、第１の分周回路部としての分周回路部２２ａの分周比は４分の１とするとともに、第２の分周回路部としての分周回路部２２ｂの分周比は、３分の１、４分の１、６分の１、１２分の１のいずれかとしてＵＨＦ帯の全ｃｈ及びＶＨＦ帯の７ｃｈを受信可能となる。
【００９１】
なお、７ｃｈのうちの同じ１セグメントを受信する場合には、発振回路２４ａ、２４ｅのいずれか一方を動作させ、この一方の発振回路の発振信号を、選択スイッチ回路２５を介して１２分の１分周とした分周回路部２２ａ、２２ｂに入力する。そして、これら分周回路部２２ａ、２２ｂからの出力信号を混合器１６ａ、１６ｂの他方の入力に供給してもよい。
【００９２】
さらに、７ｃｈのうちの同じ１セグメントを受信する場合には、分周回路部２２ａ、２２ｂと混合器１６ａ、１６ｂとの間にさらに第２の選択スイッチ回路を挿入し、ＰＬＬ制御部３５からの制御信号により、発振回路２４ａ、２４ｅのいずれか一方を動作させる。そして、この一方の発振回路部からの発振信号を一方の分周器を介して混合器１６ａ、１６ｂの他方の入力に供給してもよい。
【００９３】
図６は、本発明の実施の形態２における高周波受信装置１０ａの他の構成を示すブロック図である。図６は、図３の構成に加えて、さらに、分周回路部２２ａ、２２ｂと混合器１６ａ、１６ｂとの間にさらに選択スイッチ回路２８を配置している。図６に示すように選択スイッチ回路２８には、混合器１６ａの他方の入力に接続された出力２８ａと、混合器１６ｂの他方の入力に接続された出力２８ｂと、分周回路部２２ａに接続された入力２８ｃと分周回路部２２ｂに接続された入力２８ｄと、ＰＬＬ制御部３５に接続された入力２８ｅが設けられている。このような構成により、高周波受信装置１０は、ＰＬＬ制御部３５により、複数個の発振回路としての発振回路２６ａ、２６ｂ、２６ｃ、２６ｄのうちいずれか１個の発振回路を動作させるとともに、分周回路部２２ａ、２２ｂのいずれか一方の分周比を４分の１または１２分の１のいずれかとする。そして、選択スイッチ回路２５との選択スイッチ回路２８により分周回路部２２ａまたは分周回路部２２ｂのいずれか一方の出力信号を混合器１６ａ、１６ｂのそれぞれ他方の入力に供給することにより、ＵＨＦ帯の全ｃｈ及びＶＨＦ帯の７ｃｈのダイバシティ受信が可能となる。
【００９４】
このように、選択スイッチ回路２５により、動作させた一方の発振回路を選択し、この一方の発振回路からの信号を１２分の１分周とした一方の分周器に供給し、さらにこの一方の分周器からの出力信号を選択スイッチ回路２８により混合器１６ａ、１６ｂの他方の入力に選択的に供給することによりダイバシティ受信を可能にする。この場合、分周回路部２２ａ、２２ｂの何れか一方の分周器に電源を供給すれば良いので、省電力化を図ることができる。
【００９５】
このように、２つの高周波受信回路部が同一セグメントを受信する場合においては、１個の発振回路部のみを動作させて発振信号を用いることが好ましい。これら発振回路２４ａ、２４ｅが同一の発振周波数を持つ場合には、両者においてうねりが発生してしまい、妨害が発生する場合がある。
【００９６】
以上のように、発振回路部２９は、２つの高周波受信回路部２０ａ、２０ｂに対して、従来に比べて半分の個数とした発振回路２４ａ、２４ｂ、２４ｃ、２４ｅで構成できる。すなわち、これら発振回路２４ａ、２４ｂ、２４ｃ、２４ｅを形成する同調回路２７ａ、２７ｂ、２７ｃ、２７ｅのインダクタの個数を従来に比べて半分の４個にできる。
【００９７】
このインダクタは、従来から大きな占有面積を持っていたので、集積回路化した場合、この集積回路が大型化したが、このようにインダクタの個数を従来に比べて半分にできるので、小型サイズの集積回路が実現できる。さらに、小型サイズの集積回路を搭載することによって高周波受信装置１０ａを小型化サイズとすることができる。
【００９８】
また、発振回路２４ａ、２４ｂ、２４ｃ、２４ｅは、デジタル放送信号の４倍とした高い周波数で発振させているので、さらにインダクタの小型化を図ることができる。その結果、更なる小型サイズの集積回路を実現でき、高周波受信装置１０ａを小型化することができる。
【００９９】
以上のように、発振回路部を構成する発振回路は、半分の個数の同調回路により構成できる。従って、この発振回路部を集積化する場合には、小型の集積回路が実現できる。さらに、この集積回路を用いることによって、小型化サイズの高周波受信装置を実現することができる。
【０１００】
なお、実施の形態１で説明した基本的な考え方は、本実施の形態２においても同様である。また、実施の形態１，２においてはデジタル放送信号の周波数は日本のｃｈ配置に基づいて説明したが、他国のｃｈ配置においても同様な考え方を適用することにより、発振回路部を共用やインダクタの小型化などを図ることができる。
【産業上の利用可能性】
【０１０１】
本発明にかかる高周波受信装置は、２つの高周波受信回路部の発振回路部を共用できるので、小型が可能となり、高周波受信装置の小型化に有用である。
【図面の簡単な説明】
【０１０２】
【図１】本発明の実施の形態１における高周波受信装置の構成を示すブロック図
【図２】本発明の実施の形態１における高周波受信装置のＵＨＦ帯の全ｃｈのチャンネル配置と混合器の他方の入力に供給される信号の周波数との関係図
【図３】本発明の実施の形態１における高周波受信装置の他の構成を示すブロック図
【図４】本発明の実施の形態２における高周波受信装置の構成を示すブロック図
【図５】本発明の実施の形態２における高周波受信装置のＵＨＦ帯の全ｃｈとＶＨＦ帯７ｃｈのチャンネル配置と混合器の他方の入力に供給される信号の周波数との関係図
【図６】本発明の実施の形態２における高周波受信装置の他の構成を示すブロック図
【図７】従来例における高周波受信装置の構成を示すブロック図
【符号の説明】
【０１０３】
１２ａ，１２ｂ    入力端子
１３ａ，１３ｂ    出力端子
１６ａ，１６ｂ    混合器
２１，２９    発振回路部
２２ａ，２２ｂ    分周回路部
２４ａ，２４ｂ，２４ｃ，２４ｄ，２４ｅ    発振回路
２５，２８    選択スイッチ回路
３５    ＰＬＬ制御部
【手続補正３】
【補正対象書類名】図面
【補正対象項目名】全図
【補正方法】変更
【補正の内容】
【図１】
2007018134.tif 000009
【図２】
2007018134.tif 000010
【図３】
2007018134.tif 000011
【図４】
2007018134.tif 000012
【図５】
2007018134.tif 000013
【図６】
2007018134.tif 000014
【図７】
2007018134.tif 000015
【国際調査報告】
2007018134.tif 000016
2007018134.tif 000017
2007018134.tif 000018
2007018134.tif 000019